(57)【要約】  デジタルデータの入力と修正を簡単かつ適切に行えると共に、デジタルデータの作成過程を簡単に再現することをできるようにする。表示部には、制御部により所定の書式フォーマットが表示される。表示部には、制御部により、位置検出センサを通じて受け付けた電子ペンによる入力情報が表示される。時系列データ生成部は、時計回路からの所定タイミングごとの時点情報と、この時点情報が示す時点における位置検出回路らの検出出力と、この時点情報が示す時点における操作部の操作状態を示す状態情報とを関連付けた時系列データを生成する。
2018092555.tif 000002
【特許請求の範囲】
【請求項１】
電子ペンによる指示位置に応じた座標を検出するセンサ部と、
前記センサ部の下側あるいは上側に配置される表示部と、
前記表示部に所定の書式フォーマット及び前記センサ部を通じて受け付けた前記電子ペンの指示位置に応じた入力情報を、前記表示部に表示する表示処理手段と、
１以上の操作ボタンを備えた操作部と、
所定タイミングごとの時点情報を提供する時点情報提供部と、
前記時点情報が示す時点における、前記書式フォーマットに対する前記電子ペンの指示に応じた前記センサ部からの指示位置情報と、前記電子ペンからの当該電子ペンに関わる情報と、前記操作部の操作状態を示す操作情報とを関連付けた時系列データを生成する時系列データ生成部と、
前記時系列データ生成部で生成される前記時系列データと前記書式フォーマットとを関連付けて記憶する第１の記憶部と
を備えることを特徴とするデジタル入力装置。
【請求項２】
請求項１に記載のデジタル入力装置であって、
前記表示処理手段は、前記表示部に前記所定の書式フォーマットを表示する第１の表示処理手段と、前記表示部に前記センサ部を通じて受け付けた前記電子ペンの指示位置に応じた前記入力情報を表示する第２の表示処理手段とからなることを特徴とするデジタル入装置。
【請求項３】
請求項１に記載のデジタル入力装置であって、
前記書式フォーマットは、複数頁からなり、
前記第１の記憶部は、頁ごとの前記書式フォーマットと、頁ごとの前記書式フォーマットに対応する前記時系列データとを関連付けて、複数頁からなる前記書式フォーマットごとに一括して記憶することを特徴とするデジタル入力装置。
【請求項４】
請求項１に記載のデジタル入力装置であって、
前記所定の書式フォーマットは、試験の解答を受け付けるための答案フォーマットであり、
デジタル答案作成装置として機能することを特徴とするデジタル入力装置。
【請求項５】
請求項１に記載のデジタル入力装置であって、
前記操作ボタンは、入力された情報を消去するための入力を行う場合に操作する消しゴムボタンであり、
前記消しゴムボタンが押下操作されている間における前記書式フォーマットに対する前記電子ペンによる操作は、入力された情報の消去操作とみなし、前記表示処理手段は、前記電子ペンによる操作範囲の表示情報を消去する
ことを特徴とするデジタル入力装置。
【請求項６】
請求項１に記載のデジタル入力装置であって、
前記操作ボタンは、入力された情報を消去するための入力を行う場合に操作する消しゴムボタンであって、前記表示部の左右に１つずつ設けられており、
前記消しゴムボタンの一方が押下操作されている間における前記書式フォーマットに対する前記電子ペンによる操作は、入力された情報の消去操作とみなし、前記表示処理手段は、前記電子ペンによる操作範囲の表示情報を消去する
ことを特徴とするデジタル入力装置。
【請求項７】
請求項１に記載のデジタル入力装置であって、
前記操作ボタンは、１つ前の入力状態に戻すための元に戻すボタンであり、
前記元に戻すボタンが押下操作されたときには、前記表示処理手段は、直前に行われた操作入力に応じた入力画像を消去する
ことを特徴とするデジタル入力装置。
【請求項８】
請求項１に記載のデジタル入力装置であって、
前記操作ボタンは、１つ前の入力状態に戻すための元に戻すボタンであって、前記表示部の左右に１つずつ設けられており、
前記元に戻すボタンの一方が押下操作されたときには、前記表示処理手段は、直前に行われた操作入力に応じた入力画像を消去する
ことを特徴とするデジタル入力装置。
【請求項９】
請求項１に記載のデジタル入力装置であって、
前記書式フォーマットは、問題文を含む答案フォーマットであり、
前記表示処理手段は、前記書式フォーマットとして前記問題文を含む前答案フォーマットを前記表示部に表示することを特徴とするデジタル入力装置。
【請求項１０】
請求項１に記載のデジタル入力装置であって、
前記書式フォーマットを記憶保持する第２の記憶部を備えることを特徴とするデジタル解答装置。
【請求項１１】
請求項１に記載のデジタル入力装置であって、
送信されて来る前記書式フォーマットを受信する受信手段と、
前記受信手段で受信された前記書式フォーマットを記憶する第２の記憶部と
を備えることを特徴とするデジタル入力装置。
【請求項１２】
請求項１に記載のデジタル入力装置であって、
前記第１の記憶に記憶された前記時系列データと前記書式フォーマットとを、目的とする相手先に送信する送信手段を備えることを特徴とするデジタル入力装置。
【請求項１３】
請求項１に記載のデジタル入力装置であって、
前記第１の記憶部は、記録されているデータの書き換えが不能なものであると共に、自機に対して着脱が可能にされたものであることを特徴とするデジタル入力装置。
【請求項１４】
電子ペンによる指示位置に応じた座標を検出するセンサ部と、前記センサ部の下側あるいは上側に配置される表示部と、前記表示部に所定の書式フォーマット及び前記センサ部を通じて受け付けた前記電子ペンの指示位置に応じた入力情報を、前記表示部に表示する表示処理手段と、１以上の操作ボタンを備えた操作部と、所定タイミングごとの時点情報を提供する時点情報提供部と、前記時点情報が示す時点における、前記書式フォーマットに対する前記電子ペンの指示に応じた前記センサ部からの指示位置情報と、前記電子ペンからの当該電子ペンに関わる情報と、前記操作部の操作状態を示す操作情報とを関連付けた時系列データを生成する時系列データ生成部と、前記時系列データ生成部で生成される前記時系列データと前記所定の書式フォーマットとを関連付けて記憶する第１の記憶部とを備えたデジタル入力装置の前記第１の記憶部に記録された前記時系列データと前記所定の書式フォーマットとを処理するデジタル添削装置であって、
電子ペンによる指示位置に応じた座標を検出する第２のセンサ部と、
前記第２のセンサ部の下側あるいは上側に配置される第２の表示部と、
前記第２の表示部に前記時系列データに応じた情報と前記所定の書式フォーマットに応じた書式とを表示する第３の表示処理手段と、
電子ペンにより前記第２のセンサ部を通じて、前記第２の表示部に表示された前記解答に対する添削入力を受け付けて、添削情報を形成する添削情報形成手段と、
前記添削情報形成手段により形成された前記添削情報を、前記第２の表示部に表示する第４の表示処理手段と、
前記書式フォーマットと、前記時系列データに応じた前記解答と、前記添削情報とを対応付けた添削済み情報を記憶する第３の記憶部と
を備えることを特徴とするデジタル添削装置。
【請求項１５】
請求項１４に記載のデジタル添削装置であって、
前記添削情報形成手段は、前記添削情報を、前記時系列データに応じた前記解答とは異なる態様で表示されるように形成する
ことを特徴とするデジタル添削装置。
【請求項１６】
請求項１４に記載のデジタル添削装置であって、
前記時系列データに応じた解答の再生指示子を備え、
前記第３の表示処理手段は、前記再生指示子が操作された場合には、当該操作に対応して、前記時系列データに応じた解答を時系列順に再生するように、前記第２の表示部に表示する処理を行う
ことを特徴とするデジタル添削装置。
【請求項１７】
請求項１４に記載のデジタル添削装置であって、
前記添削情報形成手段は、少なくとも前記時系列データに応じた前記解答とは異なるレイヤーの情報として、前記添削情報を形成することを特徴とするデジタル添削装置。
【請求項１８】
デジタル入力装置とデジタル添削装置とによって構成される通信教育システムであって、
前記デジタル入力装置は、
電子ペンによる指示位置に応じた座標を検出するセンサ部と、
前記センサ部の下側あるいは上側に配置される表示部と、
前記表示部に所定の書式フォーマット及び前記センサ部を通じて受け付けた前記電子ペンの指示位置に応じた入力情報を、前記表示部に表示する表示処理手段と、
１以上の操作ボタンを備えた操作部と、
所定タイミングごとの時点情報を提供する時点情報提供部と、
前記時点情報が示す時点における、前記書式フォーマットに対する前記電子ペンの指示に応じた前記センサ部からの指示位置情報と、前記電子ペンからの当該電子ペンに関わる情報と、前記操作部の操作状態を示す操作情報とを関連付けた時系列データを生成する時系列データ生成部と、
前記時系列データ生成部で生成される前記時系列データと前記所定の書式フォーマットとを関連付けて記憶する第１の記憶部と
を備え、
前記デジタル添削装置は、
電子ペンによる指示位置に応じた座標を検出する第２のセンサ部と、
前記第２のセンサ部の下側あるいは上側に配置される第２の表示部と、
前記第２の表示部に前記時系列データに応じた情報と前記所定の書式フォーマットに応じた書式とを表示する第３の表示処理手段と、
電子ペンにより前記第２のセンサ部を通じて、前記第２の表示部に表示された前記解答に対する添削入力を受け付けて、添削情報を形成する添削情報形成手段と、
前記添削情報形成手段により形成された前記添削情報を、前記第２の表示部に表示する第４の表示処理手段と、
前記書式フォーマットと、前記時系列データに応じた前記解答と、前記添削情報とを対応付けた添削済み情報を記憶する第３の記憶部と
を備えることを特徴とする通信教育システム。
【請求項１９】
請求項１８に記載された通信教育システムであって、
前記デジタル入力装置と前記デジタル添削装置とはネットワークを通じて接続され、
前記デジタル解答装置は、
前記第１の記憶部に記憶された前記時系列データと前記書式フォーマットとを、前記ネットワークを通じて前記デジタル添削装置側に送信する第１の送信手段と
を備え、
前記デジタル添削装置は、
前記ネットワークを通じて送信された前記デジタル解答装置からの前記時系列データと前記書式フォーマットとを受信する第１の受信手段と、
前記受信手段で受信された前記デジタル解答装置からの前記時系列データと前記書式フォーマットとを記憶保持する第４の記憶部と
を備えることを特徴とする通信境域システム。
【請求項２０】
請求項１９に記載の通信教育システムであって、
前記デジタル入力装置は、
前記デジタル添削装置からの前記添削済み情報を受信する第２の受信手段と、
前記第２の受信手段を通じて受信した前記添削済み情報を、前記表示部に表示する第５の表示処理手段と
を備え、
前記デジタル添削装置は、
前記第３の記憶部に記憶保持されている前記添削済み情報を、前記デジタル入力装置に送信する第２の送信手段を備える
ことを特徴とする通信教育システム。
【請求項２１】
請求項１９又は請求項２０に記載の通信教育システムであって、
前記デジタル入力装置と、前記デジタル添削装置とは、前記ネットワーク上に設けられた所定のサーバ装置を介して、データの送受を行う
ことを特徴とする通信教育システム。
【発明の詳細な説明】
【技術分野】
【０００１】
この発明は、電子ペンと位置検出装置とを用いてデジタルデータの入力が可能な入力装置と、この入力装置を用いて構成されるシステムに関し、特に、入学試験などの大規模試験や個人を対象とした通信教育に利用して好適な装置、システムに関する。
【背景技術】
【０００２】
中学、高校、大学等の入学試験をはじめ、各種の検定試験や資格試験など、多数の受験者が受験する種々の大規模試験が行われている。このような大規模試験では、問題用紙と解答用紙とを受験者に配布して試験を行い、受験生が解答を記入した解答用紙を回収して採点し、採点結果に応じて合否判定を行うのが従来の一般的な方法である。そして、いわゆる大学入試センター試験のような受験者が多い試験の場合、採点を迅速、正確、公正に行うために、コンピュータによる採点処理が可能なマークシート方式の試験が行われることが多い。【０００３】
マークシート方式の試験の場合、受験生は予め設けられた複数の選択肢の中から正解と思われる選択肢を選び出し、その選び出した選択肢に対応する解答欄を鉛筆などにより塗り潰すことにより解答を行う。すなわち、解答だけを記載するため、理科系科目の場合には解答に至るまでの計算過程を採点対象とすることができないし、文系科目の場合には文章の作成能力などを採点の対象とすることができない。【０００４】
もちろん、従来から行われている試験のように、解答用紙に答えだけでなく計算過程を記載させるようにしたり、解答用紙に文章を記載させるようにしたりすることも可能である。しかし、この場合、受験生が多くなれば多くなるほど、解答用紙の保管には場所や費用が掛かるし、また、解答用紙を汚したり、破損させたりする可能性も生じる。また、採点者が受験者の思考過程などを考慮しながら採点する問題と、コンピュータにより機械的に採点が可能な問題とを混在させたい場合もある。【０００５】
そこで、後に記す特許文献１に開示された発明の学習支援プログラムおよび学習支援装置のように、ペン入力用パネルを備えたパーソナルコンピュータやスマートフォンやタブレット型コンピュータなどの電子機器を、解答に利用することが考えられる。ここで、ペン入力用パネルは、表示装置といわゆるタッチセンサとを組み合わせた電子部品であり、電子ペンを用いることにより、受験者が計算式や文章の筆記入力が可能である。【０００６】
この場合、ペン入力用パネルを通じて入力された解答情報を電子データとして扱うことができるので、解答用紙の保管の問題も生じないし、解答用紙を汚したり、破損させたりするといった問題も生じない。また、解答情報を電子データとして扱うことができるので、計算式や文章などは、採点者が受験者の思考過程などを考慮しながら採点することができる。また、選択肢を選択させる問題などの場合には、コンピュータによる機械的な採点も可能である。
【先行技術文献】
【特許文献】
【０００７】
【特許文献１】特開２０１５−１０２５５６号公報
【発明の概要】
【発明が解決しようとする課題】
【０００８】
上述したペン入力用パネルを備えた電子機器を、解答を入力する装置として用いるシステムの場合には、一度入力した解答情報を修正する場合に問題が生じる場合がある。すなわち、ペン入力用パネルに対して電子ペンを用いて解答情報を入力しており、解答を書き直すには、まず入力されている解答情報を消去しなければならない。入力されている解答情報を消去するには、ペン入力用パネルに対して解答の入力時とは異なる信号を供給する消去用指示子（消去用電子ペン）が必要になる。【０００９】
この消去用電子ペンは、解答用電子ペンとは別体のものとして構成したり、また、１本の電子ペンの一方の端部を解答用電子ペンとし、他方の端部を消去用電子ペンとして構成したりする。この場合、受験者が、解答用電子ペンと消去用電子ペンとを間違えて使用してしまうといったことが起こる可能性がある。したがって、受験者は、常に解答用電子ペンと消去用電子ペンとを認識して、解答用電子ペンと消去用電子ペンとを使い分けなければならず面倒である。また、解答用電子ペンと消去用電子ペンとを持ち替える場合には、一連の思考の妨げになる場合があると考えられる。【００１０】
また、出来上がった解答結果だけを見るのではなく、複数の問題がある場合に、どの問題から解答を始めたのか、どこをどのように直したのかなどを必要に応じて見ることができれば、より適切かつ正確に採点を行うことができる場合もある。このことは、入学試験、検定試験、資格試験などのいわゆる大規模試験だけでなく、個人を対象に行われる通信教育の場合にも、受講者の解答の過程が詳細に再現できれば、より適切な指導を行うことができるようになる。【００１１】
以上のことに鑑み、この発明は、電子ペンと位置検出装置とを用いてデジタルデータの入力が可能な入力装置を用いる場合に、デジタルデータの入力と修正を簡単かつ適切に行えると共に、入力されたデジタルデータの作成過程（入力過程）を簡単に再現することをできるようにすることを目的とする。
【課題を解決するための手段】
【００１２】
上記課題を解決するため、この発明は、
電子ペンによる指示位置に応じた座標を検出するセンサ部と、
前記センサ部の下側あるいは上側に配置される表示部と、
前記表示部に所定の書式フォーマット及び前記センサ部を通じて受け付けた前記電子ペンの指示位置に応じた入力情報を、前記表示部に表示する表示処理手段と、
１以上の操作ボタンを備えた操作部と、
所定タイミングごとの時点情報を提供する時点情報提供部と、
前記時点情報が示す時点における、前記書式フォーマットに対する前記電子ペンの指示に応じた前記センサ部からの指示位置情報と、前記電子ペンからの当該電子ペンに関わる情報と、前記操作部の操作状態を示す操作情報とを関連付けた時系列データを生成する時系列データ生成部と、
前記時系列データ生成部で生成される前記時系列データと前記書式フォーマットとを関連付けて記憶する第１の記憶部と
を備えるデジタル入力装置を提供する。【００１３】
この発明のデジタル入力装置によれば、センサ部と表示部とによりペン入力用パネルが構成され、当該表示部には、表示処理手段により、所定の書式フォーマットと、センサ部を通じて受け付けた電子ペンによる入力情報が表示される。また、当該デジタル入力装置は、１つ以上の操作ボタンと、所定タイミングごとの時点情報を提供する時点情報提供部とを備えている。【００１４】
そして、時系列データ生成部は、時点情報提供部からの時点情報が示す時点における、書式フォーマットに対する電子ペンの指示に応じたセンサ部からの指示位置情報と、電子ペンからの当該電子ペンに関わる情報と、操作部の操作状態を示す操作情報とを関連付けた時系列データを生成する。この生成された時系列データと書式フォーマットとが関連付けられて第１の記憶部に記憶される。この第１の記憶部に記憶された時系列データが、対応付けられている書式フォーマットに対する使用者による入力情報であって電子データ（デジタルデータ）となる。【００１５】
また、操作部の操作状態を示す操作情報も含まれるため、この操作部の操作状態に基づいて、電子ペンによる操作入力を、入力用操作とみなしたり、消去用操作とみなしたりすることができるようにされる。すなわち、同じ電子ペンによる操作であっても、操作部の操作状態に応じて、機能を切り替えることができるようにされる。
【図面の簡単な説明】
【００１６】
【図１】第１の実施の形態の大規模試験システムの概要を説明するための図である。
【図２】第１の実施の形態の大規模試験システムのデジタル解答装置の外観を説明するための外観図である。
【図３】第１の実施の形態の大規模試験システムのデジタル解答装置の内部構造の概要を説明するための図である。
【図４】第１の実施の形態のデジタル解答装置の構成例を説明するためのブロック図である。
【図５】第１の実施の形態のデジタル解答装置に搭載された位置検出装置の構成例を説明するためのブロック図である。
【図６】第１の実施の形態のデジタル解答装置に対する解答の入力操作について説明するための図である。
【図７】第１の実施の形態のデジタル解答装置で生成される時系列データである解答情報の例を説明するための図である。
【図８】第１の実施の形態のデジタル解答装置で形成される時系列データである解答情報の構成と送信用解答情報の構成を説明するための図である。
【図９】第１の実施の形態のデジタル解答装置で生成される時系列データである解答情報の例を説明するための図である。
【図１０】第２の実施の形態の通信教育システムの概要を説明するための図である。
【図１１】第２の実施の形態の通信教育システムのデジタル添削装置の外観を説明するための外観図である。
【図１２】第２の実施の形態の通信教育システムで処理されるデータのレイヤー構造について説明するための図である。
【図１３】第２の実施の形態の通信教育システムのデジタル添削装置の構成例を説明するためのブロック図である。
【図１４】第２の実施の形態のデジタル添削装置における解答情報の再生時の表示情報の例について説明するための図である。
【図１５】第２の実施の形態のデジタル添削装置で生成される送信用添削情報の例を説明するための図である。
【図１６】第２の実施の形態のデジタル添削装置において実行される添削処理について説明するためのフローチャートである。
【図１７】図１６に続くフローチャートである。
【図１８】答案フォーマットが複数頁に渡る場合の頁別解答情報の構成例を説明するための図である。
【発明を実施するための形態】
【００１７】
以下、図を参照しながら、この発明の装置、システムの実施の形態について説明する。以下においては、大規模試験システムに適用した場合の例である第１の実施の形態と、通信教育システムに適用した場合の例である第２の実施の形態について説明する。
【００１８】
［第１の実施の形態（大規模試験システム）］
図１は、第１の実施の形態の大規模試験システムの概要を説明するための図である。第１の実施の形態において、大規模試験システムは、例えば、中学校、高校、大学などの入学試験や各種の検定試験、資格試験など、多数の受験者が１カ所以上の試験会場に集合して試験を受ける場合に構築されて活用されるものである。
【００１９】
図１に示すように、第１の実施の形態の大規模試験システムは、デジタル解答装置１（１）、１（２）、…、電子ペン２（１）、２（２）、…、アクセスポイント（以下、ＡＰと略称する。）３（１）、３（２）、…、ホストコンピュータ４、クラウドシステム５からなる。デジタル解答装置１（１）、１（２）、…、及び、電子ペン２（１）、２（２）、…、のそれぞれは、試験を受験する受験者のそれぞれが利用するものであり、この第１の実施の形態においては、試験の主催者が受験者に対して貸与し、試験終了後に回収するものである。
【００２０】
ＡＰ３（１）、３（２）、…、のそれぞれは、試験会場となる教室、講義室、講堂などに配置され、デジタル解答装置１（１）、１（２）、…との無線通信を可能にする。ホストコンピュータ４は、１カ所以上の試験会場のそれぞれに少なくとも１台が設けられる。そして、ホストコンピュータ４は、ＡＰ３（１）、３（２）、…を介して、デジタル解答装置１（１）、１（２）、…のそれぞれとの間で通信を行い、答案フォーマットや試験問題の配布、解答情報の回収を行う。クラウドシステム５は、種々のデータの格納部や解答の採点や評価を行う処理部を備える。
【００２１】
近年においては、ソフトウェアやハードウェアの利用権などをネットワーク越しにサービスとして利用者に提供するクラウドコンピューティング方式が広く利用されている。このようなクラウドコンピューティング方式を実現するために、インターネット上に設けられているデータセンターやサーバ群のことをクラウドと呼んでいる。
【００２２】
すなわち、クラウドは、使用者にリアルなサーバを意識させることなく、目的とするソフトウェアやハードウェアなどを使用者に提供するものである。そして、この実施形態においては、図１に示すように、クラウド上にクラウドシステム５として、データ格納部５１、採点評価部５２、評価結果格納部５３が設けられている。
【００２３】
クラウドシステム５のデータ格納部５１は、答案フォーマットや試験問題などの提供データの格納領域と、各デジタル解答装置１（１）、１（２）、…から収集した解答情報の格納領域とを備えている。そして、クラウドシステム５は、各試験会場のそれぞれに設けられたホストコンピュータ４からの要求に応じて、答案フォーマットと試験問題をデータ格納部５１から読み出し、これを要求元のホストコンピュータ４に配布する。
【００２４】
ホストコンピュータ４は、ＡＰ３（１）、３（２）、…を通じて無線により、各デジタル解答装置１（１）、１（２）、…に、答案フォーマットと試験問題とを配布する。第１の実施の形態の大規模試験システムにおいては、ホストコンピュータ４が、各デジタル解答装置１（１）、１（２）、…に対して、答案フォーマットと試験問題の表示開始と表示終了のタイミングが制御できるようになっている。これにより、試験時間開始前に解答をはじめたり、試験時間終了後にも解答を行ったりするといった不正な解答が防止できる。
【００２５】
もちろん、各デジタル解答装置１（１）、１（２）、…に対して、事前に答案フォーマットと試験問題とを配布しておき、試験官の開始の指示により、各デジタル解答装置１（１）、１（２）、…に対して、受験者が電源を投入する。これにより、各デジタル解答装置１（１）、１（２）、…において、答案フォーマットと試験問題とを表示して、受験者が解答の入力を行うようにすることもできる。
【００２６】
各受験者は、自己に貸与されたデジタル解答装置１（１）、１（２）、…を通じて試験問題を表示して読み、解答を考える、そして、各受験者は、自己のデジタル解答装置１（１）、１（２）、…に表示された答案フォーマットに対して、自己の電子ペン２（１）、２（２）、…を用いて解答を書き込むようにして、解答を入力する。このようにして入力された解答情報は、自己のデジタル解答装置１（１）、１（２）、…内のメモリに蓄積され、試験時間の終了後に提出操作を行うことにより、ホストコンピュータ４に対して提出する。ホストコンピュータ４は、各デジタル解答装置１（１）、１（２）、…からの解答情報を収集し、これを記憶保持する。
【００２７】
そして、第１の実施の形態の大規模試験システムの場合、ホストコンピュータ４は、収取した各受験者の解答情報を、クラウドシステム５に送信する。クラウドシステム５は、各試験会場のホストコンピュータ４からの解答情報を受信して、データ格納部５１の解答情報の格納領域に格納する。この後、クラウドシステム５の採点評価部５２が機能して、データ格納部５１の解答情報の格納領域に格納された解答情報を採点して評価し、評価結果を形成して、これを評価結果格納部５３に格納する。
【００２８】
なお、評価結果から合格者が定員より多い場合や逆に合格者が定員より少ない場合には、採点者が解答情報を再度確認し、合格者の調整を行うことができる。この場合、詳しくは後述もするが、解答情報は時系列データとして形成され、解答の状況を正確に再現することができるようにされている。これにより、解答の過程をつぶさに再現し、より緻密に解答が考えられている受験者を見つけたり、逆に解答の過程がおおざっぱで、偶然正解に至った受験者を見つけたりするなど、詳細な評価を行うことができるようにされる。
【００２９】
これにより、採点者などの責任ある者が、解答情報をきめ細かくチェックし、思考過程や理解度を適切に把握した上で、最終的な合格者を決定することができるようにされる。そして、クラウドシステム５は、評価結果格納部５３の格納データに基づいて、合格者に対して、合格証を発行して郵送するなどのことができるようにされる。
【００３０】
そして、第１の実施の形態の大規模試験システムにおける重要な特徴は、デジタル解答装置１（１）、１（２）、…にある。第１の実施の形態のデジタル解答装置１（１）、１（２）、…のそれぞれは、電子ペン２（１）、２（２）、…を用いて解答を入力するが、解答を間違えたときに、簡単かつ適切に、間違えた箇所を消去して入力のし直しをすることができるようにしている。
【００３１】
さらに、第１の実施の形態のデジタル解答装置１（１）、１（２）、…のそれぞれは、解答情報を時系列データとして細かく形成することにより、解答の状況を正確に再現することができるようにしている。これにより、上述もしたように、解答の過程をつぶさに再現し、より緻密に解答が考えられている受験者を見つけたり、逆に解答の過程がおおざっぱで、偶然正解に至った受験者を見つけたりするなど、きめ細かな採点ができるようにしている。
【００３２】
以下に、第１の実施の形態のデジタル解答装置１（１）、１（２）、…の詳細について説明する。なお、デジタル解答装置１（１）、１（２）、…のそれぞれは、同様の構成を有するものである。このため、以下においては、特に区別して示す必要のある場合を除き、デジタル解答装置１（１）、１（２）、…のそれぞれを、デジタル解答装置１と総称する。また、電子ペン２（１）、２（２）、…についても、同様の構成を有するものであるので、特に区別して示す必要のある場合を除き、電子ペン２（１）、２（２）、…のそれぞれを、電子ペン２と総称する。
【００３３】
［デジタル解答装置１の詳細］
図２は、第１の実施の形態の大規模試験システムのデジタル解答装置１の外観を説明するための外観図である。図２に示すように、デジタル解答装置１は、いわゆるタブレット型ＰＣ（Personal Computer）の形態を有するものであり、右上側面部には電源ボタンＫ１が設けられている。そして、Ａ４判サイズの表示画面を有する表示部１０４を備え、この表示部１０４の下には、表示部１０４の表示画面の全面に対応する位置検出センサ１０５Ａが設けられている。これにより、表示部１０４の表示画面上に電子ペン２を接触させて操作することにより、文字、記号、図形などの種々の情報を手書きにより入力することができるようになっている。
【００３４】
そして、表示部１０４の表示画面の周囲には、フロントパネル１Ａによって構成されるベゼル部が設けられる。このベゼル部の上部側の部分には、提出ボタンＫ２、右改頁ボタンＫ３Ｒ、左改頁ボタンＫ３Ｌが設けられている。また、当該ベゼル部の右側部には、元に戻るボタン（右）Ｋ４Ｒ、消しゴムボタン（右）Ｋ５Ｒが設けられ、当該ベゼル部の左側部には、元に戻るボタン（左）Ｋ４Ｌ、消しゴムボタン（左）Ｋ５Ｌが設けられている。元に戻るボタン（右）Ｋ４Ｒ、消しゴムボタン（右）Ｋ５Ｒは、左利きの使用者用操作子であり、元に戻るボタン（左）Ｋ４Ｌ、消しゴムボタン（左）Ｋ５Ｌは、右利きの使用者用操作子である。
【００３５】
電源ボタンＫ１は、電源のオン／オフ用の操作子であり、提出ボタンＫ２は、試験問題に対する入力した一連の解答情報をホストコンピュータ４に提出（送信）する場合に操作する操作子である。右改頁ボタンＫ３Ｒ、左改頁ボタンＫ３Ｌのそれぞれは、矢印が示す方向に頁送りをするための操作子である。また、元に戻るボタン（右）Ｋ４Ｒと元に戻るボタン（左）Ｋ４Ｌとは、直前の入力情報を取り消して、１つ前の入力状態に戻るための操作子である。消しゴムボタン（右）Ｋ５Ｒと消しゴムボタン（左）Ｋ５Ｌとは、これらが押下操作されている間においては、電子ペン２による位置検出センサ１０５Ａに対する操作は、入力情報の消去操作として処理するようにされる。
【００３６】
図３は、図２に示した外観を有するデジタル解答装置１の内部構造の概要を説明するための図である。図３に示すように、デジタル解答装置１は、筐体１Ｃの内部に、下から順に、回路基板１Ｂ、位置検出センサ１０５Ａ、表示部１０４が積層され、これらがフロントパネル１Ａによって封入される構成になっている。なお、フロントパネル１Ａは、表示部１０４の表示画面部分は開口部となっているが、当該開口部にはたとえば保護ガラスが設けられ、表示部１０４の表示画面が保護される。
【００３７】
図４は、デジタル解答装置１の構成例を説明するためのブロック図である。送受信アンテナ１０１Ａと無線通信部１０１とは、無線通信機能を実現する部分である。これらの部分が実現する無線通信機能は、例えば、Ｗｉ−Ｆｉ（登録商標）規格の無線ＬＡＮ（Local Area Network）により、ＡＰ３（１）、３（２）、…を通じて、ホストコンピュータ４との間で相互に無線通信ができるようにする。
【００３８】
制御部１０２は、図示しないが、ＣＰＵ（Central Processing Unit）、ＲＯＭ（Read Only Memory）、ＲＡＭ（Random Access Memory）、例えば、フラッシュメモリなどの不揮発性メモリなどが、バスを通じて接続されて構成されたコンピュータ装置部である。制御部１０２は、デジタル解答装置１の各部を制御する機能を実現する。メモリ部１０３は、内部メモリと外部メモリとの一方または両方を備え、これらのメモリに対して、制御部１０２の制御の下、例えば、答案フォーマットや解答情報などの各種の情報の書き込み／読み出しができるようになっている。
【００３９】
メモリ部１０３に搭載される内部メモリとしては、例えば、フラッシュメモリやＥＥＰＲＯＭ（Electrically Erasable Programmable ROM）などがある。また、メモリ部１０３に対して着脱可能にされる外部メモリとしては、ＵＳＢメモリやＳＤカードメモリ、ＳＤカードの上位カードメモリなどの種々のものを用いるようにすることができる。
【００４０】
なお、メモリ部１０３に内部メモリと外部メモリとの両方を備えるようにした場合には、それぞれに異なる情報を記録するようにして使い分けるようにすることができる。また、内部メモリと外部メモリとに同じ情報を記録するようにして、内部メモリに記録したデータは試験の実施者側が利用し、外部メモリは取り外して、デジタル解答装置１を用いて試験を受けた受験者が持ち帰って利用するといったことができる。
【００４１】
表示部１０４は、例えば、ＬＣＤ（Liquid Crystal Display）や有機ＥＬディスプレイ（organic electroluminescence display）などの薄型の表示素子と表示処理回路とからなる部分である。表示部１０４には、制御部１０２の制御の下、答案フォーマットや試験問題、更には受験者（使用者）によって入力された受験番号、氏名、解答情報などを表示することができるようにされている。
【００４２】
位置検出センサ１０５Ａと位置検出回路１０５Ｂとは、位置検出装置１０５を構成する。この実施の形態において、位置検出装置１０５は、ＥＭＲ（登録商標）方式、すなわち電磁誘導授受方式ものである。位置検出装置には、静電容量方式のものもある。しかし、静電容量方式の位置検出装置の場合には、使用者の指などによっても指示入力が可能であり、誤入力の発生頻度が高くなる可能性がある。このため、デジタル解答装置１では、電磁誘導授受方式の位置検出装置１０５を採用している。なお、電磁誘導授受方式の位置検出装置１０５の構成例については後述する。
【００４３】
操作部１０６は、上述もしたように、電源ボタンＫ１、提出ボタンＫ２、右改頁ボタンＫ３Ｒ、左改頁ボタンＫ３Ｌ、元に戻るボタン（右）Ｋ４Ｒ、元に戻るボタン（左）Ｋ４Ｌ、消しゴムボタン（右）Ｋ５Ｒ、消しゴムボタン（左）Ｋ５Ｌを備えたものである。これらの操作ボタンが操作された場合に、操作されたボタンに応じた信号を制御部１０２や時系列データ生成部１０７に供給できるようになっている。
【００４４】
時系列データ生成部１０７は、受験者によって位置検出センサ１０５Ａに対して行われた入力操作や操作部１０６の各操作ボタンに対する入力操作に応じて、時系列データとしての解答情報を生成する処理を行う。時計回路１０８は、例えば、０．５秒ごと、１秒ごとなどのように、時系列データとしての解答情報を形成するタイミングを提供するものである。この他、時計回路１０８は、現在年月日、現在曜日、現在時刻を提供する機能も有する。なお、時系列データ生成部１０７における時系列データの生成処理の詳細は後述する。そして、表示部１０４と位置検出センサ１０５Ａとを除いた各部分が、図３に示した回路基板１Ｂ上に設けられる。
【００４５】
図５は、デジタル解答装置１に搭載された電磁誘導授受方式の位置検出装置１０５と電子ペン２の構成例を説明するためのブロック図である。
【００４６】
電子ペン２は、回路構成としては、信号送受用のコイル２１と、このコイル２１に接続された筆圧検出部２２と、この筆圧検出部２２に並列に接続される共振コンデンサＣｆ等からなる共振回路によって現される。すなわち、電子ペン２は、位置検出装置に対して位置検出センサ１０５Ａ上の位置を指示すると共に、その時に受験者によって電子ペン２に加えられた筆圧を検出し、これを位置検出装置１０５に対して通知することもできるものである。
【００４７】
一方、位置検出装置１０５には、Ｘ軸方向ループコイル群Ｘａと、Ｙ軸方向ループコイル群Ｙｂとを積層させて設けることにより、電磁誘導方式の位置（座標）検出センサ１０５Ａが形成されている。各ループコイル群Ｘａ，Ｙｂは、例えば、それぞれ４０本の矩形のループコイルからなっている。各ループコイル群Ｘａ，Ｙｂを構成する各ループコイルは、等間隔に並んで順次重なり合うように配置されている。
【００４８】
また、位置検出装置１０５には、Ｘ軸方向ループコイル群Ｘａ及びＹ軸方向ループコイル群Ｙｂが接続される選択回路Ｂ３が設けられている。この選択回路Ｂ３は、２つのループコイル群Ｘａ，Ｙｂのうちの一のループコイルを順次選択する。
【００４９】
さらに、位置検出装置１０５には、発振器Ｂ１と、電流ドライバＢ２と、切り替え接続回路Ｂ４と、受信アンプＢ５と、検波器Ｂ６と、低域フィルタＢ７と、サンプルホールド回路Ｂ８と、Ａ／Ｄ変換回路Ｂ９と、同期検波器Ｂ１０と、低域フィルタＢ１１と、サンプルホールド回路Ｂ１２と、Ａ／Ｄ変換回路Ｂ１３と、処理部Ｂ１４とが設けられている。
【００５０】
発振器Ｂ１は、周波数ｆ０の交流信号を発生し、電流ドライバＢ２と同期検波器Ｂ１０に供給する。電流ドライバＢ２は、発振器Ｂ１から供給された交流信号を電流に変換して切り替え接続回路Ｂ４へ送出する。切り替え接続回路Ｂ４は、後述する処理部Ｂ１４からの制御により、選択回路Ｂ３によって選択されたループコイルが接続される接続先（送信側端子Ｔ、受信側端子Ｓ）を切り替える。この接続先のうち、送信側端子Ｔには電流ドライバＢ２が、受信側端子Ｓには受信アンプＢ５が、それぞれ接続されている。
【００５１】
選択回路Ｂ３に選択されたループコイルに発生する誘導電圧は、選択回路Ｂ３及び切り替え接続回路Ｂ４を介して受信アンプＢ５に送られる。受信アンプＢ５は、ループコイルから供給された誘導電圧を増幅し、検波器Ｂ６及び同期検波器Ｂ１０へ送出する。
【００５２】
検波器Ｂ６は、ループコイルに発生した誘導電圧、すなわち受信信号を検波し、低域フィルタＢ７へ送出する。低域フィルタＢ７は、前述した周波数ｆ０より充分低い遮断周波数を有しており、検波器Ｂ６の出力信号を直流信号に変換してサンプルホールド回路Ｂ８へ送出する。サンプルホールド回路Ｂ８は、低域フィルタＢ７の出力信号の所定のタイミング、具体的には受信期間中の所定のタイミングにおける電圧値を保持し、Ａ／Ｄ（Analog to Digital）変換回路Ｂ９へ送出する。Ａ／Ｄ変換回路Ｂ９は、サンプルホールド回路Ｂ８のアナログ出力をデジタル信号に変換し、処理部Ｂ１４に出力する。
【００５３】
一方、同期検波器Ｂ１０は、受信アンプＢ５の出力信号を発振器Ｂ１からの交流信号で同期検波し、それらの間の位相差に応じたレベルの信号を低域フィルタＢ１１に送出する。この低域フィルタＢ１１は、周波数ｆ０より充分低い遮断周波数を有しており、同期検波器Ｂ１０の出力信号を直流信号に変換してサンプルホールド回路Ｂ１２に送出する。このサンプルホールド回路Ｂ１２は、低域フィルタＢ１１の出力信号の所定のタイミングにおける電圧値を保持し、Ａ／Ｄ（Analog to Digital）変換回路Ｂ１３へ送出する。Ａ／Ｄ変換回路Ｂ１３は、サンプルホールド回路Ｂ１２のアナログ出力をデジタル信号に変換し、処理部Ｂ１４に出力する。
【００５４】
処理部Ｂ１４は、位置検出装置１０５の各部を制御する。すなわち、処理部Ｂ１４は、選択回路Ｂ３におけるループコイルの選択、切り替え接続回路Ｂ４の切り替え、サンプルホールド回路Ｂ８、Ｂ１２のタイミングを制御する。処理部Ｂ１４は、Ａ／Ｄ変換回路Ｂ９、Ｂ１３からの入力信号に基づき、Ｘ軸方向ループコイル群Ｘａ及びＹ軸方向ループコイル群Ｙｂから一定の送信継続時間をもって電波を送信させる。
【００５５】
Ｘ軸方向ループコイル群Ｘａ及びＹ軸方向ループコイル群Ｙｂの各ループコイルには、電子ペン２から送信される電波によって誘導電圧が発生する。処理部Ｂ１４は、この各ループコイルに発生した誘導電圧の電圧値のレベルに基づいて電子ペン２のＸ軸方向及びＹ軸方向の指示位置の座標値を算出する。また、処理部Ｂ１４は、送信した電波と受信した電波との位相差に基づいて筆圧を検出する。このように、この実施の形態の電磁誘導授受方式の電子ペン２と図４に示した電磁誘導授受方式の位置検出装置１０５とにより、入力装置が構成される。
【００５６】
［デジタル解答装置１に対する解答の入力と解答情報の生成処理］
次に、上述し構成を有するデジタル解答装置１を用いた解答の入力の仕方と、デジタル解答装置１における解答情報の生成処理について説明する。図６は、デジタル解答装置１に対する解答の入力操作について説明するための図である。
【００５７】
上述したように、デジタル解答装置１は、ホストコンピュータ４から送信される答案フォーマット及び試験問題を受信し、これを制御部１０２内の不揮発メモリに格納する。そして、制御部１０２は、不揮発性メモリに格納した答案フォーマット及び試験問題を表示部１０４に供給し、図６（Ａ）に示すように、当該答案フォーマットに応じた解答欄と試験問題とを表示部１０４の表示画面に表示する。
【００５８】
受験者は、表示部１０４に表示された試験問題を読み、同じく表示部１０４に表示された解答欄に解答を、電子ペン２を用いて入力する。図６（Ａ）に示した例は、説明を簡単にするため、小学校低学年程度の算数の試験問題が出題された場合を示している。もちろん、実施される試験の受験対象者に応じて、種々の問題が出題されることになる。
【００５９】
そして、図６（Ｂ）に示すように、出題された試験問題に対して解答するために、受験者が表示部１０４に表示された答案フォーマットに応じた計算式の記載欄に、電子ペン２を用いて計算式の記載を始めたとする。そして、受験者が、等号（＝）の上の横棒を記載しようとしたところで、最初に記載した数字は「２」でなく、「８」であることに気が付いたとする。ここでは、受験者は、右利きであるものとする。
【００６０】
この場合、元に戻すボタン（左）Ｋ４Ｌを用いたのでは、数字の「３」→「−（マイナス）」→数字の「２」というように、後ろから順番に入力情報を消去することになる。この例の場合には、先頭の数字「２」だけを消去すれば足りる。そこで、受験者は、図６（Ｃ）に示すように、左手で消しゴムボタン（左）Ｋ５Ｌを押下操作しながら、右手に持った電子ペン２を用いて、数字「２」が表示されている表示部１０４上の位置をなぞったり、数字「２」が表示されている表示部１０４上の領域を塗り潰すようにしたりする。
【００６１】
このように、消しゴムボタン（左）Ｋ５Ｌが押下操作されている間においては、制御部１０２は、電子ペン２による表示部１０４の表示画面上への操作は消去操作であると判別できる。そして、消しゴムボタン（左）Ｋ５Ｌが押下操作されている間において、なぞられた部分あるいは塗り潰された部分に記載された情報は消去対象であると判別する。そして、制御部１０２は、表示部１０４を制御して、図６（Ｃ）に示すように、なぞられた部分あるいは塗り潰された部分に記載されている情報、この例の場合には数字「２」を消去する。
【００６２】
そして、消しゴムボタン（左）Ｋ５Ｌの押下操作をやめれば、電子ペン２による表示部１０４上への操作は、入力操作であると判別できる。このため、受験者は、図６（Ｄ）に示すように、数字「２」を消去した部分に、電子ペン２を用いて、正しい記載である数字「８」を記載し直すことにより、入力情報の修正を、簡単に、かつ、直接的に行うことができる。しかも、消去用電子ペンに持ち替えるといった動作を行うこともないので、受験者の思考が停滞するような状況の発生を極力避けることができる。
【００６３】
なお、ここでは、受験者は右利きであるものとしたが、左利きの受験者の場合には、消しゴムボタン（右）Ｋ５Ｒを用いて同様の修正処理を行うことができる。すなわち、左利きの受験者の場合には、右手で消しゴムボタン（右）Ｋ５Ｒを押下操作する。そして、押下操作中において、左手に持った電子ペン２を用いて、消去対象の文字が表示されている表示部１０４上の位置をなぞったり、消去対象の文字が表示されている表示部１０４上の領域を塗り潰すようにしたりする。これにより、消去対象の文字の消去が行える。したがって、右利きと左利きとで入力操作に有利状況や不利な状況を生じさせないようにできる。
【００６４】
このように、受験者は、電子ペン２を用いてデジタル解答装置１に対して解答情報を入力することができると共に、消しゴムボタン（左）Ｋ５Ｌ、消しゴムボタン（右）Ｋ５Ｒを用いて、目的とする文字だけを消去して修正を行うことができる。
【００６５】
そして、デジタル解答装置１は、受験者によって入力された解答情報を時系列データとして生成する。この場合、時系列データとしての解答情報は、入力操作だけでなく、消去操作も含めて形成され、試験開始から試験終了までの間にデジタル解答装置１に対して行われた全ての操作に対応したデータが形成される。
【００６６】
［時系列データとしての解答情報の具体例］
図７は、図６を用いて説明した解答の入力操作と消しゴムボタン（左）Ｋ５Ｌを用いた消去操作とを行った場合に生成される解答情報の例を示している。また、図８は、デジタル解答装置１で形成される時系列データである解答情報の構成と送信用解答情報の構成を説明するための図である。
【００６７】
デジタル解答装置１では、時計回路１０８が提供する所定のタイミングごとの時点において、位置検出装置１０５の位置検出回路１０５Ｂからの検出出力と、操作部１０６の操作ボタンの操作情報とが取得され、これらから時系列データが形成される。この時系列データのである解答情報の集合が、試験問題に対する一連の解答情報となる。
【００６８】
解答情報の最小単位の構成は、図８（Ａ）に示すように、時点ｔｎ、Ｘ座標Ｘｎ、Ｙ座標Ｙｎ、筆圧Ｐｎ、ボタンステータスＳｎからなる。時点ｔｎは、時計回路１０８から提供される所定のタイミングごとの時点を示す情報であり、第１の実施の形態では、例えば、０．５秒おきの時点を示す情報である。もちろん、時点ｔｎは、０．５秒ごとよりも短い間隔ごとの時点としたり、０．７秒ごと、１秒ごとといった比較的に長い間隔ごとの時点としたりすることもできる。
【００６９】
Ｘ座標Ｘｎと、Ｙ座標Ｙｎと、筆圧Ｐｎとは、図５を用いて説明した位置検出装置１０５の位置検出回路１０５Ｂからの検出出力である。ボタンステータスＳｎは、操作部１０６からの操作された操作ボタンを示す情報（操作情報）である。そして、デジタル解答装置１の時系列データ生成部１０７は、時計回路１０８からの０．５秒ごとの時点において、当該時点ｔｎと、Ｘ座標Ｘｎ、Ｙ座標Ｙｎ、筆圧Ｐｎと、ボタンステータスＳｎとによって、時系列データである解答情報を形成する。
【００７０】
したがって、時点ｔｎにおいて、電子ペン２により表示部１０４上で何も操作が行われていない時には、Ｘ座標Ｘｎ、Ｙ座標Ｙｎ、筆圧Ｐｎのそれぞれの値は「０（ゼロ）」となる。また、時点ｔｎにおいて、操作部１０６のどの操作ボタンも操作されていない時には、ボタンステータスＳｎの値は「０（ゼロ）」となる。
【００７１】
そして、図６を用いて説明した例の場合には、図７の「操作入力」の欄に示すように、まず、時点ｔ１〜時点ｔ５において、数字「２」が、電子ペン２を用いて表示部１０４の表示画面上で記載されたとする。この場合、時系列データ生成部１０７は、時計回路１０８からの時点情報と、位置検出回路１０５Ｂからの検出出力と、操作部１０６からの出力値とから、図７の「入力時系列データ」の欄に示すように、時点ｔ１〜時点ｔ５までの５つの時系列データを形成する。
【００７２】
時点ｔ１〜時点ｔ５においては、操作部１０６の操作ボタンは操作されていないので、ボタンステータスＳ１〜Ｓ５の値はいずれも「０（ゼロ）」である。それ以外の時点ｔ１〜ｔ５、Ｘ座標Ｘ１〜Ｘ５、Ｙ座標Ｙ１〜Ｙ５、筆圧Ｐ１〜Ｐ５には、実際の検出値が入力される。そして、図７の「表示」の欄に示すように、表示部１０４の表示画面の操作対応部分には、数字「２」が表示される。
【００７３】
次の時点ｔ６においては、何らの操作も行われていない状態、すなわち、電子ペン２が表示部１０４の表示画面上から離れ、操作部１０６の操作ボタンも押下されていない状態になったとする。この場合にも、時系列データは生成される。そして、電子ペン２が表示部１０４の表示画面上から離れている場合でも、電子ペン２による位置検出センサ１０５Ａ上の指示位置が検出できる場合と検出できない場合とがある。
【００７４】
前者は、電子ペン２のペン先が表示部１０４の表示画面に近接しているために、電子ペン２による位置検出センサ１０５Ａ上の指示位置が検出できる場合であり、例えば、１つの文字の入力が終了し、次の文字の入力などに移る場合である。この場合には、筆圧及びボタンステータスの値が「０（ゼロ）」とされ、時点、Ｘ座標、Ｙ座標の値として、それぞれの検出値が用いられる。したがって、図７の時点ｔ６においては、数字「２」の入力が終了し、記号「−（マイナス）」の入力への移行過程である。このため、時点ｔ６には時計回路１０８からの時点情報が、Ｘ座標Ｘ６、Ｙ座標Ｙ６のそれぞれには、当該時点における位置検出回路１０５Ｂからの検出値が入力され、筆圧Ｐ６及びボタンステータスＳ６の値は「０（ゼロ）」とされる。
【００７５】
後者は、電子ペン２が表示部１０４の表示画面上から数センチメートル以上離れているために、電子ペン２による位置検出センサ１０５Ａ上の指示位置が検出できない場合であり、そもそも文字等の入力状態ではない場合である。この場合には、時点以外のＸ座標、Ｙ座標、筆圧、ボタンステータスのいずれの値も「０（ゼロ）」とされる。このように、時点以外のパラメータの値がすべて「０（ゼロ）」の時系列データが連続する場合には、入力操作がなされる状態ではなく、デジタル解答装置１の使用者（受験者）が思考中であると推定できる。
【００７６】
また、Ｘ座標とＹ座標とが検出されている場合であって、それらの示す座標位置が変わらない場合、すなわち電子ペン２の指示位置が変わらないために、時点が変化し、Ｘ座標とＹ座標とが変化せず、少なくともボタンステータスが「０（ゼロ）」となっているデータが連続する場合にも、デジタル解答装置１の使用者が思考中であると推定できる。このように、入力された時系列データによって、デジタル解答装置１の使用者が、文字等を入力している場合と、思考中の場合とを把握することができる。
【００７７】
次に、図７の「操作入力」の欄に示すように、時点ｔ７〜時点ｔ９において、記号「−（マイナス）」が、電子ペン２を用いて表示部１０４の表示画面上で記載されたとする。この場合、時系列データ生成部１０７は、時計回路１０８からの時点情報と、位置検出回路１０５Ｂからの検出出力と、操作部１０６からの出力値とから、図７の「入力時系列データ」の欄に示すように、時点ｔ７〜時点ｔ９までの３つの時系列データを形成する。
【００７８】
時点ｔ７〜時点ｔ９においても、操作部１０６の操作ボタンは操作されていないので、ボタンステータスＳ７〜Ｓ９の値はいずれも「０（ゼロ）」である。それ以外の時点ｔ７〜ｔ９、Ｘ座標Ｘ７〜Ｘ９、Ｙ座標Ｙ７〜Ｙ９、筆圧Ｐ７〜Ｐ９には、実際の検出値が入力される。そして、図７の「表示」の欄に示すように、表示部１０４の表示画面の操作対応部分には、記号「−（マイナス）」が表示される。
【００７９】
次の時点ｔ１０においては、記号「−（マイナス）」の入力が終了し、数字「３」の入力への移行過程であり、電子ペン２のペン先は表示部１０４の表示画面と近接している状態にある。このため、時点ｔ６の場合と同様に、時点ｔ１０には時計回路１０８からの時点情報が、Ｘ座標Ｘ１０、Ｙ座標Ｙ１０のそれぞれには位置検出回路１０５Ｂからの検出値が入力され、筆圧Ｐ１０及びボタンステータスＳ１０の値は「０（ゼロ）」とされる。
【００８０】
次に、図７の「操作入力の欄」に示すように、時点ｔ１１〜時点ｔ１５において、数字「３」が、電子ペン２を用いて表示部１０４の表示画面上で記載されたとする。この場合、時系列データ生成部１０７は、時計回路１０８からの時点情報と、位置検出回路１０５Ｂからの検出出力と、操作部１０６からの出力値とから、図７の「入力時系列データ」の欄に示すように、時点ｔ１１〜時点ｔ１５までの５つの時系列データを形成する。
【００８１】
時点ｔ１１〜時点ｔ１５においても、操作部１０６の操作ボタンは操作されていないので、ボタンステータスＳ１１〜Ｓ１５の値はいずれも「０（ゼロ）」である。それ以外の時点ｔ７〜ｔ９、Ｘ座標Ｘ７〜Ｘ９、Ｙ座標Ｙ７〜Ｙ９、筆圧Ｐ７〜Ｐ９には、実際の検出値が入力される。そして、図７の「表示」の欄に示すように、表示部１０４の表示画面の操作対応部分には、数字「３」が表示される。
【００８２】
次の時点ｔ１６においても、数字「３」の入力が終了し、次の操作への移行過程であり、電子ペン２のペン先は表示部１０４の表示画面と近接している状態にある。このため、時点ｔ６の場合と同様に、時点ｔ１６には、時計回路１０８からの時点情報が、Ｘ座標Ｘ１６、Ｙ座標Ｙ１６のそれぞれには位置検出回路１０５Ｂからの検出値が入力され、筆圧Ｐ１６及びボタンステータスＳ１６の値は「０（ゼロ）」とされる。
【００８３】
そして、数字「３」を入力した直後に受験者が最初に入力（記載）した数字「２」が間違えであることに気付き、図７の「操作入力」の欄に示すように、時点ｔ１７〜時点ｔ２１において、数字「２」の消去操作を行ったとする。すなわち、時点ｔ１７〜時点ｔ２１において、消しゴムボタン（左）Ｋ５Ｌを押下操作しながら、表示部１０４に表示されている数字「２」を電子ペン２でなぞる操作を行ったとする。この場合、時系列データ生成部１０７は、時計回路１０８からの時点情報と、位置検出回路１０５Ｂからの検出出力と、操作部１０６からの出力値とから、図７の「入力時系列データ」の欄に示すように、時点ｔ１７〜時点ｔ２１までの５つの時系列データを形成する。
【００８４】
時点ｔ１７〜時点ｔ２１においては、操作部１０６の消しゴムボタン（左）Ｋ５Ｌが操作されているので、ボタンステータスＳ１７〜Ｓ２１には、消しゴムボタン（左）Ｋ５Ｌが操作されたことを示す値が入力される。そして、時点ｔ１７〜ｔ２１、Ｘ座標Ｘ１７〜Ｘ２１、Ｙ座標Ｙ１７〜Ｙ２１、筆圧Ｐ１７〜Ｐ２１には、実際の検出値が入力される。そして、図７の「表示」の欄に示すように、表示部１０４の表示画面の操作対応部分においては、最初に入力された数字「２」が消去された表示状態になる。
【００８５】
この場合、図７の消しゴムマークを付した操作入力欄において、消去対象である数字「２」を点線で囲んで示したように、消しゴムボタン（左）Ｋ５Ｌが操作されている間においては、電子ペン２の指示位置近傍の所定の範囲が消去対象とされる。より具体的には、制御部１０２は、消去対象の数字「２」の開始点（時点ｔ１７）、終了点（時点ｔ２１）に小さな円を付して示したように、電子ペン２の指示位置を中心として所定の半径の円の範囲が、仮想的な消しゴムの接触面とする。そして、電子ペン２の移動に伴って、仮想的な消しゴムの接触面も移動するので、制御部１０２は、当該仮想的な消しゴムの設置面の範囲に存在する表示軌跡、この例の場合には数字「２」を消去するように表示制御処理を行う。
【００８６】
次の時点ｔ２２においては、数字「２」の消去が完了し、次の操作への移行過程であり、電子ペン２のペン先は表示部１０４の表示画面と近接している状態にある。このため、時点ｔ６の場合と同様に、時点ｔ２２には時計回路１０８からの時点情報が、Ｘ座標Ｘ２２、Ｙ座標Ｙ２２のそれぞれには位置検出回路１０５Ｂからの検出値が入力され、筆圧Ｐ２２及びボタンステータスＳ２２の値は「０（ゼロ）」とされる。
【００８７】
そして、図７の「操作入力」の欄に示すように、時点ｔ２３〜時点ｔ２７において、正しいと考えられる数字「８」が、電子ペン２を用いて表示部１０４の表示画面上の数字「２」を消去した部分に記載されたとする。この場合、時系列データ生成部１０７は、時計回路１０８からの時点情報と、位置検出回路１０５Ｂからの検出出力と、操作部１０６からの出力値とから、図７の「入力時系列データ」の欄に示すように、時点ｔ２３〜時点ｔ２７までの５つの時系列データを形成する。
【００８８】
時点ｔ２３〜時点ｔ２７においても、操作部１０６の操作ボタンは操作されていないので、ボタンステータスＳ２３〜Ｓ２７の値はいずれも「０（ゼロ）」である。それ以外の時点ｔ２３〜ｔ２７、Ｘ座標Ｘ２３〜Ｘ２７、Ｙ座標Ｙ２３〜Ｙ２７、筆圧Ｐ２３〜Ｐ２７には、実際の検出値が入力される。そして、図７の「表示」の欄に示すように、表示部１０４の表示画面の操作対応部分には、数字「８」が表示される。
【００８９】
そして、図７を用いて説明したように、時系列データとしての解答情報は、数字「２」の入力→記号「−（マイナス）」の入力→数字「３」の入力→数字「２」の消去→数字「８」の入力というように、すべての操作入力に対応して形成される。すなわち、入力操作だけでなく、消去操作についても解答情報に含められる。これにより、間違えた部分、間違えに気付いたタイミング、書き直した解答などのすべてを把握できる。
【００９０】
しかも、何らの操作も行われておらず、電子ペン２による位置検出センサ１０５Ａ上の指示位置も検出されていない場合にも、時系列データが形成される。このため、例えば、試験問題ごとに受験者の思考時間も把握することができる。すなわち、時点以外のＸ座標、Ｙ座標、筆圧、ボタンステータスの値が「０（ゼロ）」である時系列データが連続する期間が思考時間である。そして、この思考時間は、この思考時間の直後に電子ペン２を用いて解答がなされた問題に対するものとして把握できる。
【００９１】
このようにして形成される時系列データとしての解答情報は、制御部１０２の不揮発性メモリに記録されて保持される。そして、図８（Ｂ）に示すように、送信用解答情報として求められて、提出ボタンＫ２を押下操作した場合に、ホストコンピュータ４に対して送信される。
【００９２】
提出用解答情報は、図８（Ｂ）に示すように、受験地、科目、受験番号、氏名などからなるヘッダ情報と、図７を用いて説明したように形成される時系列データとしての解答情報の集合と、答案フォーマット及び問題とからなるものである。答案フォーマット及び問題は、採点官が解答情報を再生して採点を行う場合に、図６（Ａ）に示した態様で、答案フォーマットと試験問題を表示し、さらに解答情報に応じた解答の状況を再生して、採点を行うことができるようにするために付加されている。
【００９３】
なお、答案フォーマットや試験問題に識別情報が付与さえていれば、図８（Ｂ）に示したように、答案フォーマットや試験問題自体を送信用解答情報に含めなくてもよい。答案フォーマットや試験問題に付与されている識別情報を、送信用解答情報に付加すればよい。なお、答案フォーマットと試験問題とのそれぞれに別々の識別情報を付与して別々に管理することもできるし、試験問題も答案フォーマットの一部とし、これを１つの識別情報で一体的に管理することもできる。
【００９４】
また、上述もしたように、元に戻すボタン（左）Ｋ４Ｌ、元に戻すボタン（右）Ｋ４Ｒを備えており、直前の入力情報を取り消して、入力した解答を１つ前の状態に戻すこともできる。この場合にも、図７を用いて説明した場合と同様にして、時系列データとしての解答情報が形成される。
【００９５】
図９は、解答の入力操作と元に戻るボタン（左）Ｋ４Ｌを用いた消去操作とを行った場合に生成される解答情報の例を示している。この例の場合には、図９に示すように、時点ｔ１〜時点ｔ５において数字「８」が、時点ｔ７〜時点ｔ９において記号「−（マイナス）」が、時点ｔ１１〜時点ｔ１５において数字「２」が入力されたとする。この場合には、図９にも示したように、表示部４０１には、「８−２」という表示がされる。また、時点ｔ６、ｔ１０、ｔ１６においては、数字や記号の入力が完了し、次の操作への移行過程となっている。したがって、時点ｔ１〜時点ｔ１６において形成される時系列データは、入力される数字の違いはあっても、図７を用いて説明した時点ｔ１〜時点ｔ１６において形成される時系列データと同様にして形成される。
【００９６】
そして、時点ｔ１１〜時点ｔ１５において、数字「２」を入力した直後に、受験者が数字「２」は入力間違えであることに気付き、図９の「操作入力」の欄に示すように、時点ｔ１７において、元に戻すボタン（左）Ｋ４Ｌを押下操作したとする。この場合、時系列データ生成部１０７は、時計回路１０８からの時点情報と、位置検出回路１０５Ｂからの検出出力と、操作部１０６からの出力値とから、図９の「入力時系列データ」の欄に示すように、時点ｔ１７における時系列データを１つ形成する。
【００９７】
時点ｔ１７においては、操作部１０６の下に戻すボタン（左）Ｋ４Ｌが操作されているので、ボタンステータスＳ１７には、元に戻すボタン（左）Ｋ４Ｌが操作されたことを示す値が入力される。そして、時点ｔ１７、Ｘ座標Ｘ１７、Ｙ座標Ｙ１７、筆圧Ｐ１７には、実際の検出値が入力されるが、この場合、位置検出回路１０５Ｂからの検出出力はないので、Ｘ座標Ｘ１７、Ｙ座標Ｙ１７、筆圧Ｐ１７には、値「０（ゼロ）」が入力される。
【００９８】
そして、制御部１０２は、元に戻すボタンＫ４Ｌが操作される直前に行われた操作である時点ｔ１１〜ｔ１５に行われた操作を取り消す。これにより、図９の「表示」の欄に示すように、表示部１０４の表示画面には、元に戻すボタン（左）Ｋ４Ｌが操作される直前に入力された数字「２」が消去された状態の表示がされる。なお、元に戻すボタン（左）Ｋ４Ｌが操作される直前の入力操作は、入力操作が行われていない時点である、時点ｔ１０と時点ｔ１６との間に行われた操作として特定することができる。
【００９９】
次の時点ｔ１８においては、元に戻すボタン（左）Ｋ４Ｌの押下操作終了後、次の操作への移行過程となっており、電子ペン２が表示部１０４の表示画面上から離れ、操作部１０６の操作ボタンも押下されていない状態であとする。しかし、電子ペン２のペン先は表示部１０４の表示画面と近接しているために、電子ペン２による位置検出センサ１０５Ａ上の指示位置の検出は可能な状態にある。したがって、時点ｔ１８には時計回路１０８からの時点情報が、Ｘ座標Ｘ１８、Ｙ座標Ｙ１８のそれぞれには位置検出回路１０５Ｂからの検出値が入力され、筆圧Ｐ１８及びボタンステータスＳ１８の値は「０（ゼロ）」とされる。
【０１００】
そして、図９の「操作入力」の欄に示すように、時点ｔ１９〜時点ｔ２３において、正しいと考えられる数字「３」が、電子ペン２を用いて表示部１０４の表示画面上の数字「２」が消去された部分に記載されたとする。この場合、時系列データ生成部１０７は、時計回路１０８からの時点情報と、位置検出回路１０５Ｂからの検出出力と、操作部１０６からの出力値とから、図９の「入力時系列データ」の欄に示すように、時点ｔ１９〜時点ｔ２３までの５つの時系列データを形成する。
【０１０１】
時点ｔ１９〜時点ｔ２３においても、操作部１０６の操作ボタンは操作されていないので、ボタンステータスＳ１９〜Ｓ２３の値はいずれも「０（ゼロ）」である。それ以外の時点ｔ１９〜ｔ２３、Ｘ座標Ｘ１９〜Ｘ２３、Ｙ座標Ｙ１９〜Ｙ２３、筆圧Ｐ１９〜Ｐ２３には、実際の検出値が入力される。そして、図９の「表示」の欄に示すように、表示部１０４の表示画面の操作対応部分には、数字「３」が表示される。
【０１０２】
そして、図９を用いて説明したように、時系列データとしての解答情報は、数字「８」の入力→記号「−（マイナス）」の入力→数字「２」の入力→元に戻すボタンの入力（直前に入力された数字「２」の消去）→数字「３」の入力というように、すべての操作入力に対応して形成される。すなわち、入力操作だけでなく、消去操作についても解答情報に含められる。このようにして形成された解答情報もまた、図８（Ｂ）に示した送信用解答情報としてまとめられ、ホストコンピュータ４に送信される。
【０１０３】
これにより、元に戻すボタン（左）Ｋ４Ｌを操作した場合にも、間違えた部分、間違えに気付いたタイミング、書き直した解答などのすべてを把握できる。もちろん、元に戻すボタン（右）Ｋ４Ｒを操作した場合にも、同様に時系列データとしての解答情報の生成と、操作に応じた入力情報の表示や消去を行うことができる。
【０１０４】
そして、ホストコンピュータ４は、各デジタル解答装置１からの送信用解答情報をクラウドシステム５に送信し、クラウドシステムにおいて、採点や評価を行って、合格者を決定するようにし、合格者リストを試験の実施者に提供できる。そして、上述もしたように、試験の実施者（採点者）は、必要に応じて解答情報をチェックし、適切に合格者を特定することができる。
【０１０５】
このように、第１の実施の形態のデジタル解答装置１は、電子ペン２を用いて行われる受験者からの解答の入力を受け付けて、これに応じた時系列データとしての解答情報を形成して保持することができる。そして、送信用解答情報を形成して、ホストコンピュータ４を介して、解答情報をクラウドシステムに提出できる。
【０１０６】
また、消しゴムボタン（左）Ｋ５Ｌ、消しゴムボタン（右）Ｋ５Ｒを用いることにより、電子ペン２を持ち替えることなく、間違って入力した解答部分を消去し、正しい解答を迅速かつ適切に入力し、全体として正しいと考えられる解答を迅速に整えることができる。しかも、解答情報は、時系列データであるので、必要に応じて、採点者が解答時の状況を再生し、解答の再評価などを適切に行うことができる。
【０１０７】
なお、例えば、提出ボタンＫ２が押下操作されたときに、制御部１０２の不揮発瀬メモリに形成された図８（Ｂ）に示した送信用解答情報を、メモリ部１０３の外部メモリに記録し、これを受験者が持ち替えるようにすることもできる。これにより、受験者は自宅のパーソナルコンピュータなどを用いて、当該外部メモリに格納された送信用解答情報を再生し、自己採点を行うことができる。
【０１０８】
なお、メモリ部１０３の外部メモリに送信用解答情報を記録するようにした場合には、当該送信用解答情報は、改ざんすることができないように、書き換えが不能にされる。例えば、読み出し専用メモリとするように、ヘッダ部など情報を書き換え、当該情報が書き換えられた場合には、当該メモリを使用不能にするといった対応を取ることができる。この他にも、書き換えを不能にする方法は、種々の方法を用いることができる。
【０１０９】
このように、メモリ部１０３の外部メモリに格納された送信用解答情報の改ざんができないようにしておけば、受験者がこれを手元に残すようにし、採点に疑義が生じた場合に、異議を申し立てる場合の証拠とすることができる。
【０１１０】
また、消しゴムボタン（左）Ｋ５Ｌの操作時には、消しゴムボタン（右）Ｋ５Ｒの操作を不能し、消しゴムボタン（右）Ｋ５Ｒの操作時には、消しゴムボタン（左）Ｋ５Ｌの操作を不能にするといったことも、制御部１０２の制御により行うことができる。
【０１１１】
［第１の実施の形態の効果］
この第１の実施の形態のデジタル解答装置１の場合には、消しゴムボタン（左）Ｋ５Ｌ、消しゴムボタン（右）Ｋ５Ｒを利用することにより、消去専用電子ペンを別途用意することもなく、筆記に用いる電子ペン２を用いて、目的とする部分の消去が行える。したがって、消去専用電子ペンに持ち替える動作が必要ないので、入力動作が一連の思考の妨げになるようなことを防止できる。
【０１１２】
また、解答情報は、時系列データとして作成することができる。これにより、解答をコンピュータによって採点することも可能であるし、必要に応じて解答の状況を再生（再現）して、当該解答の再評価などを行うことも簡単にできる。
【０１１３】
［第２の実施の形態（通信教育システム）］
図１０は、第２の実施の形態の通信教育システムの概要を説明するための図である。図２に示すように、第２の実施の形態において、通信教育システムは、受講者が例えば自宅などで利用するパーソナルコンピュータ６及びデジタル解答装置１Ｘと、添削者（指導者）が利用するデジタル添削装置７とが、クラウドシステム５Ａを通じて接続されて構成される。このような通信教育システムを通じては、例えば、小学生、中学生、高校生を対象とする教科学習講座や受験対策講座、あるいは、大学生や社会人を対象とする検定試験対策講座や資格試験対策講座など、種々の目的の通信教育が行える。
【０１１４】
図１０に示すように、クラウドシステム５Ａには、データ格納部５１Ａと授業提供部５２Ａとが設けられている。データ格納部５１Ａは、受講者に提供する答案フォーマットや試験問題が格納されたフォーマット等格納領域と、受講者からの解答情報を格納する解答情報格納領域と、講座の授業を構成する動画情報や静止画の資料情報などを授業情報格納領域とを有する。
【０１１５】
授業提供部５２Ａは、受講者からの要求に応じて、データ格納部５１Ａの授業情報格納領域から授業を構成する動画や静止画の資料を提供することにより、受講者の目的とする講座の授業を提供する。また、授業提供部５２Ａは、受講者に対して、データ格納部５１Ａに格納されている試験問題や答案フォーマットを提供し、授業の理解度をチェックする試験を行う機能も備える。
【０１１６】
受講者は、例えば自宅などにおいて、自己のパーソナルコンピュータ６を通じてクラウドシステム５Ａの授業提供部５２Ａに対して授業の提供を要求し、目的とする講座の動画や静止画をパーソナルコンピュータ６で再生して授業を受ける。また、受講者は、自己のパーソナルコンピュータ６を通じてクラウドシステム５Ａの授業提供部５２Ａに対して、試験の実施を要求し、試験の答案フォーマットや試験問題の提供を受けて試験を受ける。この場合、試験問題は、パーソナルコンピュータ６で表示して受講者に提供し、答案フォーマットはパーソナルコンピュータ６からデジタル解答装置１Ｘに提供する。
【０１１７】
デジタル解答装置１Ｘは、図２〜図５を用いて説明した第１の実施の形態のデジタル解答装置１と同様の構成を有するものである。このため、デジタル解答装置１Ｘもまた、図２〜図５に示した構成を有するものとして説明する。但し、第２の実施の形態のデジタル解答装置１Ｘは、例えば、ＵＳＢ（Universal Serial Bus）規格などのデジタルインターフェイスを備え、有線によりパーソナルコンピュータ６に対して接続可能にされている。この点だけが、第１の実施の形態のデジタル解答装置１とは異なっている。そして、デジタル解答装置１Ｘは、パーソナルコンピュータ６に対してデジタルインターフェイスを通じて接続されると、パーソナルコンピュータ６の入力装置として機能する。
【０１１８】
そして、デジタル解答装置１Ｘは、パーソナルコンピュータ６から答案フォーマットの提供を受けると、これを表示部１０４に表示し、この答案フォーマットに対する解答の入力を、位置検出装置１０５を通じて受け付けるようにする。受講者は、第１の実施の形態の場合と同様に、電子ペン２を用いて、デジタル解答装置１Ｘに対して解答を入力する。そして、デジタル解答装置１Ｘにおいても、図６〜図９を用いて説明したように、電子ペン２による解答の入力を受け付けて、時系列データとしての解答情報を生成し、送信用解答情報にまとめて、パーソナルコンピュータ６を通じてクラウドシステム５Ａに送信する。これにより、受講者のデジタル解答装置１Ｘで生成された送信用解答情報が、クラウドシステム５Ａのデータ格納部５１Ａの解答情報格納領域に格納される。
【０１１９】
一方、添削者（指導者）は、デジタル添削装置７を用いてクラウドシステム５Ａにアクセスし、自分が受け持つ受講者の送信用解答情報をデータ格納部５１Ａの解答情報格納領域からダウンロードして、デジタル添削装置７の記憶部に格納する。そして、当該送信用解答情報を再生するようにして、受講者の理解度を確認しながら、電子ペン２Ｂを用いて、受講者の解答を採点、添削し、○、×、解説文、コメント文などを入力する。これらの入力情報を、添削情報として記憶保持する。この生成された添削情報は、送信用解答情報に付加されてデジタル添削装置７からクラウドシステム５Ａにアップロードされ、受講者が自己のパーソナルコンピュータ６及びデジタル解答装置１Ｘを用いて添削の内容を確認することができるようにされる。
【０１２０】
そして、この第２の実施の形態においても、受講者のデジタル解答装置１Ｘにおいて、解答情報が時系列データとして生成される。デジタル添削装置７では、デジタル解答装置１で生成された時系列データとしての解答情報をそのまま用いて解答の状況を把握することができるので、受講者の理解度をより的確に把握することができる。
【０１２１】
すなわち、ただ間違えた問題が分かるだけでなく、どのように解答して間違えたのか、どのように修正を行ったために間違えたのか、逆に正確に至ったのかを的確に把握できる。また、解答の順番や解答に掛かった時間なども把握でき、時間を掛けて悩んだ問題はどれなのか、時間を掛けずに解答できた問題はどれなのかといったことも簡単に把握ができる。
【０１２２】
［デジタル添削装置７の詳細］
図１１は、第２の実施の形態の通信教育システムのデジタル添削装置７の外観を説明するための外観図である。図１１に示すように、デジタル添削装置７は、いわゆるタブレット型ＰＣ（Personal Computer）の形態を有するものである。このデジタル添削装置７にも、第１の実施の形態のデジタル解答装置１と同様の操作ボタンが設けられている。このため、図１１に示したデジタル添削装置７において、第１の実施の形態のデジタル解答装置１が備える操作ボタンと同様の機能を実現する操作ボタンには同じ参照符号を付し、それらの詳細な説明については省略する。
【０１２３】
すなわち、図１１に示すように、デジタル添削装置７の右上側面部には電源ボタンＫ１が設けられている。そして、Ａ４判サイズの表示画面を有する表示部７０４を備え、この表示部７０４の下には、表示部７０４の表示画面の全面に対応する位置検出センサ７０５Ａが設けられている。これにより、表示部７０４の表示画面上に電子ペン２Ｂを接触させて操作することにより、文字、記号、図形などの種々の情報を手書きにより入力することができるようになっている。なお、電子ペン２Ｂは、電子ペン２と同様に構成されるものである。
【０１２４】
そして、表示部７０４の表示画面の周囲には、フロントパネル７Ａによって構成されるベゼル部が設けられる。このベゼル部の上部側の部分には、右改頁ボタンＫ３Ｒ、左改頁ボタンＫ３Ｌが設けられている。また、当該ベゼル部の右側部には、元に戻るボタン（右）Ｋ４Ｒ、消しゴムボタン（右）Ｋ５Ｒが設けられ、当該ベゼル部の左側部には、元に戻るボタン（左）Ｋ４Ｌ、消しゴムボタン（左）Ｋ５Ｌが設けられている。
【０１２５】
また、デジタル添削装置７の場合にも、図３を用いて説明したデジタル解答装置１の場合と同様に、下から順に筐体→回路基板→位置検出センサ７０５Ａ→表示部７０４→フロントパネル７Ａが積層されて構成されたものである。また、上述もしたように、デジタル添削装置７に対しても、第１の実施の形態のデジタル解答装置１の場合と同様に、電子ペン２により入力操作ができるようになっている。
【０１２６】
そして、図１１に示すように、デジタル添削装置７の表示部７０４には、タイムバーＴＢ、スライダーＳＬ、解答レイヤーボタンＬＢ１、採点レイヤーボタンＬＢ２、検印レイヤーボタンＬＢ３が表示されている。これらは、ソフトウェアにより表示されて操作可能にされるいわゆるソフトウェア操作子である。
【０１２７】
具体的に、タイムバーＴＢ及びスライダーＳＬは、時系列データである解答情報を、時系列に沿って再生する場合に操作するものである。すなわち、タイムバーＴＢの上端部を試験開始時点とし、下端部を試験終了時点とする。そして、タイムバーＴＢ上において、スライダーＳＬの位置をスライド移動させることにより、スライダーＳＬのスライド移動にしたがって、時系列データである解答情報に対応した解答の状況を順次に表示部７０４に再生（表示）させることができる。
【０１２８】
そして、タイムバーＴＢの上端部の試験開始時点からスライダーＳＬを位置付けた時点までの解答情報に応じた解答を表示部７０４に表示させることができる。したがって、タイムバーＴＢの下端部にスライダーＳＬを位置付ければ、答案フォーマットの当該頁に対する解答をすべて表示させることができる。しかも、タイムバーＴＢ上のスライダーＳＬのスライド移動に対応して、時系列データである解答情報に応じた解答を徐々に表示部７０４に表示させることができるので、添削者は、受講者の解答の状況をつぶさに確認しながら添削を行うことができる。
【０１２９】
また、デジタル添削装置７では、処理するデータはレイヤー構造とされ、レイヤーに応じて処理対象とするデータを変えることができる。このために、解答レイヤーボタンＬＢ１、採点レイヤーボタンＬＢ２、検印レイヤーボタンＬＢ３が設けられている。
【０１３０】
図１２は、第２の実施の形態の通信教育システムで処理されるデータのレイヤー構造について説明するための図である。第２の実施の形態では、図１２に示すように、答案フォーマットレイヤーＬＹ１、解答レイヤーＬＹ２、採点レイヤーＬＹ３、検印レイヤーＬＹ４の４階層構造とされる。答案フォーマットレイヤーＬＹ１は、主には答案フォーマットに応じたフォーマットを表示するためのものレイヤーであり、解答レイヤーＬＹ２は、解答情報に応じた解答を表示するためのレイヤーである。採点レイヤーＬＹ３は、解答に対して、採点を行い、添削情報を入力するためのレイヤーであり、検印レイヤーＬＹ４は、検印情報を入力するためのレイヤーである。
【０１３１】
そして、図１１に示した解答レイヤーボタンＬＢ１が押下操作された時には、答案フォーマットレイヤーＬＹ１に展開された答案フォーマットと、解答レイヤーＬＹ２に展開された解答情報に応じた解答とが、表示部７０４に表示するようにされる。そして、右改頁ボタンＫ３Ｒ、左改頁ボタンＫ３Ｌの操作に応じて、改頁を行って、答案フォーマットの各頁の解答を確認することができるようにされる。
【０１３２】
また、採点レイヤーボタンＬＢ２が押下操作された時には、答案フォーマットレイヤーＬＹ１に展開された答案フォーマットと、解答レイヤーＬＹ２に展開された解答情報に応じた解答とが、表示部７０４に表示される。この場合、タイムバーＴＢ上のスライダーＳＬを操作し、解答情報に応じた解答をスライド移動に応じて再生（表示）することができるようにされる。さらに、採点レイヤーＬＹ３に対して、○や×や解説文やコメント文などの添削情報の入力ができるようにされる。
【０１３３】
また、検印レイヤーボタンＬＢ３が押下操作された時には、答案フォーマットレイヤーにＬＹ１に展開された答案フォーマットと、解答レイヤーＬＹ２に展開された解答情報に応じた解答と、採点レイヤーＬＹ３に展開された添削情報に応じた添削の内容とが、表示部７０４に表示される。さらに、検印レイヤーＬＹ４に対して、検印情報の入力ができるようにされる。
【０１３４】
図１３は、デジタル添削装置７の構成例を説明するためのブロック図である。送受信アンテナ７０１Ａと無線通信部７０１とは、無線通信機能を実現する部分である。これら送受信アンテナ７０１Ａと無線通信部７０１との機能により、例えば、Ｗｉ−Ｆｉ（登録商標）規格の無線ＬＡＮ及びインターネットを通じて、あるいは、携帯電話網及びインターネットを通じて、クラウドシステム５Ａにアクセスできるようにされる。
【０１３５】
制御部７０２は、図示しないが、ＣＰＵ、ＲＯＭ、ＲＡＭ、例えば、フラッシュメモリなどの不揮発映像メモリなどが、バスを通じて接続されて構成されたコンピュータ装置部である。制御部１０２は、デジタル添削装置７の各部を制御する機能を実現する。メモリ部７０３は、上述したデジタル解答装置１のメモリ部１０３と同様に、内部メモリと外部メモリとの一方あるいは両方を備えている。そして、制御部７０２の制御の下、メモリ部７０３の内部メモリや外部メモリに対して、答案フォーマット、解答情報、添削情報、検印情報などの書き込み、消去、読み出しができるようになっている。
【０１３６】
表示部７０４は、例えば、ＬＣＤや有機ＥＬディスプレイなどの薄型の表示素子と表示処理回路とからなる部分である。表示部７０４には、制御部７０２の制御の下、答案フォーマット、解答情報、添削情報、検印情報など、種々の情報を表示することができるようにされている。
【０１３７】
位置検出センサ７０５Ａと位置検出回路７０５Ｂとにより位置検出装置７０５が構成される。位置検出装置７０５は、電磁誘導授受方式（ＥＭＲ（登録商標）方式）のものである。したがって、デジタル添削装置７の位置検出装置７０５もまた、図５を用いて説明したデジタル解答装置１の位置検出装置１０５と同様に構成されたものである。
【０１３８】
操作部７０６は、上述もしたように、電源ボタンＫ１、右改頁ボタンＫ３Ｒ、左改頁ボタンＫ３Ｌ、元に戻るボタン（右）Ｋ４Ｒ、元に戻るボタン（左）Ｋ４Ｌ、消しゴムボタン（右）Ｋ５Ｒ、消しゴムボタン（左）Ｋ５Ｌを備えたものである。これらの操作ボタンが操作された場合に、操作されたボタンに応じた信号を制御部７０２に供給できるようになっている。
【０１３９】
時系列データ再生部７０７は、例えば、メモリ部７０３の外部メモリに格納された受講者の解答情報に応じた解答を、図１１を用いて説明したように、スライダーＳＬのタイムバーＴＢ上でのスライド移動に応じて表示部７０４に再生（表示）させる処理を行う。すなわち、時系列データ再生部７０７は、試験開始時点からタイムバーＴＢ上のスライダーＳＬが位置付けられた時点までの解答情報に応じた解答を表示部７０４に表示する処理を行う。
【０１４０】
レイヤー制御部７０８は、解答レイヤーボタンＬＢ１、採点レイヤーボタンＬＢ２、検印レイヤーボタンＬＢ３の操作の状況に応じて、用いるレイヤーを特定し、表示する情報と入力を受け付ける情報とを制御する処理を行う。すなわち、添削を行う場合、添削者は、クラウドシステム５Ａから目的とする受講者の送信用解答情報をダウンロードしてきてメモリ部７０３の外部メモリに格納する。
【０１４１】
そして、解答レイヤーボタンＬＢ１が押下操作された時には、レイヤー制御部７０８は、メモリ部７０３の外部メモリに格納した答案フォーマットを答案フォーマットレイヤーＬＹ１に展開し、解答情報を解答レイヤーＬＹ２に展開して、これらを同時に表示部７０４に表示する処理を行う。また、採点レイヤーボタンＬＢ２が押下操作された時には、レイヤー制御部７０８は、答案フォーマットレイヤーＬＹ１に展開された答案フォーマットと、解答レイヤーＬＹ２に展開された解答情報に応じた解答とを表示部７０４に表示する。そして、タイムバーＴＢ上のスライダーＳＬのスライド移動に応じて、時系列データ再生部７０７が解答情報の再生を行うようにし、レイヤー制御部７０８が、採点レイヤーＬＹ３に対して添削情報の入力を可能にする。
【０１４２】
また、検印レイヤーボタンＬＢ３が押下操作された時には、レイヤー制御部７０８は、答案フォーマットレイヤーＬＹ１に展開された答案フォーマットと、解答レイヤーＬＹ２に展開された解答情報に応じた解答と、採点レイヤーＬＹ３に展開された添削情報に応じて添削の内容とを表示部７０４に表示する。さらに、レイヤー制御部７０８は、検印レイヤーＬＹ４に対して、検印情報の入力を可能にする。
【０１４３】
このように、レイヤー制御部７０８は、答案フォーマットと解答とを表示部７０４に表示する。さらに、採点レイヤーボタンＬＢ２が押下操作されたときには、採点レイヤーＬＹ３への添削情報の入力を可能にし、検印レイヤーボタンＬＢ３が押下操作されたときには、検印レイヤーＬＹ４への検印情報の入力を可能にする。
【０１４４】
［デジタル添削装置７に対する添削の入力］
次に、上述し構成を有するデジタル添削装置７を用いた解答の再生と添削の入力の仕方について説明する。図１４は、デジタル添削装置７における解答情報の再生時の表示情報の例について説明するための図である。
【０１４５】
添削者は、デジタル添削装置７の表示部７０４の所定の位置に、採点対象とする受講者の「受講者Ｎｏ．」を入力し、この「受講者Ｎｏ．」を含む送信用解答情報の提供要求を形成して、これをクラウドシステム５Ａに送信する。これに応じて、クラウドシステム５Ａからは、指定した「受講者Ｎｏ．」で特定される受講者の送信用解答情報が送信されて来るので、デジタル添削装置７は、これを送受信アンテナ７０１Ａ及び無線通信部７０１を通じて受信する。そして、制御部１０２は、受信した送信用解答情報をメモリ部７０３の外部メモリに格納して利用可能にする。
【０１４６】
この後、添削者が、表示部７０４に表示された採点レイヤーボタンＬＢ２を、電子ペン２を用いて押下操作すると、答案フォーマットを答案フォーマットレイヤーＬＹ１に展開し、これを図１４（Ａ）に示すように、これを表示部７０４に表示する。図１４の例の場合、答案フォーマットは、問題１の式の記入欄ＡＲ１と、問題１の答えの記入欄ＡＲ２と、問題２の式の記入欄ＡＲ３と、問題２の答えの記入欄ＡＲ４とが設けられたものである。
【０１４７】
さらに、解答レイヤーＬＹ２に解答情報に応じた解答を展開して表示できるようにするが、解答情報に応じた解答の展開は、タイムバーＴＢ上のスライダーＳＬのスライド移動に応じて行い、これを表示部７０４に表示できるようにされる。スライダーＳＬのスライド移動は、スライダーＳＬの表示位置上に電子ペン２を接触させ、接触させたまま電子ペン２を移動させることにより行うことができる。
【０１４８】
なお、デジタル添削装置７の表示部７０４の表示画面に対応して、更に静電容量方式のタッチセンサを設け、このタッチセンサからの出力信号から指示位置の検出が可能な検出回路を設けることもできる。すなわち、電磁誘導方式の位置検出センサ７０５Ａと、静電容量方式のセンサとのハイブリッドの位置検出機能を搭載することもできる。このように、静電容量方式のタッチセンサを搭載した場合には、添削者が自分の指を用いて、スライダーＳＬを操作したり、解答レイヤーボタンＬＢ１、採点レイヤーボタンＬＢ２、検印レイヤーボタンＬＢ３を操作したりすることができる。
【０１４９】
そして、タイムバーＴＢの上端部に位置付けられているスライダーＳＬを、タイムバーＴＢの中間位置まで徐々にスライド移動させたとする。この場合、時系列データ再生部７０７の機能により、図１４（Ｂ）に示すように、試験開始時点からスライダーＳＬが位置付けられた時点までの解答情報に応じた解答が、スライダーＳＬのスライド移動に対応して解答レイヤーＬＹ２に展開され、これが順次に表示部７０４に表示される。すなわち、問題１の式の記入欄ＡＲ１と、問題１の答えの記入欄ＡＲ２への解答（記入）の状況が再生される。
【０１５０】
この場合、解答情報に応じた解答が、スライダーＳＬのスライド移動に対応して解答レイヤーＬＹ２に展開されて順次に表示されるので、受講者が解答を修正したりしていれば、その修正の状況も再生される。例えば、図６、図７を用いて説明したように解答の入力を行った場合には、例えば、先頭の数字「２」を消して、数字「８」に書き直した状況も確認できる。
【０１５１】
そして、タイムバーＴＢの中間位置に位置付けられているスライダーＳＬを、タイムバーＴＢの下端位置まで徐々にスライド移動させたとする。この場合、時系列データ再生部７０７の機能により、図１４（Ｃ）に示すように、スライダーＳＬが位置付けられたタイムバーＴＢの中間位置に対応する時点からスライダーＳＬが位置付けられたタイムバーＴＢの下端位置に対応する時点までの解答情報に応じた解答が、スライダーＳＬのスライド移動に対応して解答レイヤーＬＹ２に展開され、これが順次に表示部７０４に表示される。すなわち、問題２の式の記入欄ＡＲ３と、問題２の答えの記入欄ＡＲ４への解答（記入）の状況が再生される。
【０１５２】
このように、解答情報に応じた解答をタイムバーＴＢ上のスライダーＳＬのスライド移動に呼応するように解答情報に応じた解答の状況を表示部７０４に再生（表示）して、添削者がその解答の状況をつぶさに確認することができる。そして、図１４に示した状況の時には、表示部７０４の表示画面上に対して電子ペン２を用いて操作を行うことにより、添削レイヤーＬＹ３に対して、位置検出装置１０５を通じて添削情報を入力することができる。入力された添削情報は、制御部７０２の制御の下、メモリ部７０３の外部メモリに記録される。
【０１５３】
したがって、図１２に示したように、採点レイヤーＬＹ３に対して、○や×を付けたり、解説文やコメント文を入力することができる。この場合、ペン色の指定を可能にしておくことにより、○や×、解説文やコメント文は、例えば、赤色で入力したり、○や×は赤色で入力し、解説文やコメント文は青色で入力したりするといったことができるようにされる。このように、添削は解答とは異なる態様で入力することができる。
【０１５４】
なお、図１４に示した例の場合には、問題１→問題２の順番で解答がなされた場合を示している。しかし、問題２→問題１の順番で解答がなされる場合もある。この場合には、先に問題２の解答が表示され、次に問題１の解答が表示されるというように、時系列データである解答情報にしたがって解答が再生するようにされる。
【０１５５】
そして、検印レイヤーボタンＬＢ３を押下操作すれば、検印レイヤーＬＹ４への検印情報の入力が可能にされる。検印情報は予め用意された添削者の氏名及び添削年月日を含む印影画像を答案フォーマット上の所定の位置に付加することができるようにされる。この検印レイヤーには、添削者により、講評やまとめのコメント、今後の学習方針などの文字情報を入力して付加することもできる。
【０１５６】
図１５は、デジタル添削装置７で生成される送信用添削情報の例を説明するための図である。図１５に示すように、送信用添削情報は、「受講者Ｎｏ．」、「受講者氏名」、「科目」などのヘッダ情報と、解答情報（解答レイヤーの情報）、答案フォーマット（答案フォーマットレイヤーの情報）、添削情報（採点レイヤーの情報）、検印情報（検印レイヤーの情報）を備えたものである。
【０１５７】
ヘッダ情報、解答情報、答案フォーマットは、受講者のデジタル解答装置１Ｘで作成された送信用解答情報に応じた情報である。これらの情報が、デジタル添削装置７において変更されることはない。そして、添削情報と検印情報とが、デジタル添削装置７に対して添削者によって入力された情報である。添削作業後においては、図示しないがデジタル添削装置７の表示部７０４の所定の位置に表示された添削終了ボタンを押下操作することにより、図１５に示した送信用添削情報がメモリ部７０３の外部メモリに形成される。この送信用添削情報が、クラウドシステム５Ａにアップロードされ、例えば、データ格納部５１Ａに格納され、受講者が自己のパーソナルコンピュータ６を用いてダウンロードして確認することができるようにされる。
【０１５８】
なお、この第２の実施の形態の通信教育システムにおいて、デジタル添削装置７において入力されて生成される添削情報は、解答情報とは異なり、時系列データである必要はない。このため、添削情報は、答案フォーマットの１ページごとに画像情報としたり、○や×は画像情報とし、解説文やコメント文などの文章は文字情報としたりするなど、種々の対応のデータとすることができる。
【０１５９】
また、デジタル添削装置７に、デジタル解答装置１と同様の時系列データ生成部と時計回路とを設けることにより、解答情報の場合と同様に、添削情報も時系列データとして形成することもできる。
【０１６０】
［デジタル添削装置７での処理のまとめ］
図１６、図１７は、デジタル添削装置７において実行される添削処理について説明するためのフローチャートである。図１６、図１７に示す処理は、デジタル添削装置７に電源が投入された後、所定のメニュー画面から「添削処理」に対応する項目を選択することにより、制御部７０２において実行される。
【０１６１】
まず、制御部７０２は、表示部７０４に、「受講者Ｎｏ．」などの入力を受け付ける初期画面を表示し（ステップＳ１０１）、添削者（使用者）からの操作入力を受け付けるようにする（ステップＳ１０２）。この後、制御部７０２は、ステップＳ１０２において、例えば表示部７０４に表示された終了ボタンの押下操作などの所定の終了操作を受け付けたか否かを判別する（ステップＳ１０３）。ステップＳ１０３の判別処理において、所定の終了操作を受け付けたと判別したときには、ステップＳ１０１で表示した初期入力画面を消去して、添削処理の実行前の状態に戻す一連の終了処理を実行し（ステップＳ１０４）、この図１６、図１７に示す処理を終了する。
【０１６２】
一方、ステップＳ１０３の判別処理において、所定の終了操作は受け付けていないと判別したときには、「受講者Ｎｏ．」を受け付けた後、確認入力を受け付けたか否かを判別する（ステップＳ１０５）。ステップＳ１０５の判別処理において、「受講者Ｎｏ．」を受け付けた後、確認入力を受け付けていないと判別したときには、有効な操作は行われていないので、ステップＳ１０２からの処理を繰り返すようにする。
【０１６３】
また、ステップＳ１０５の判別処理において、「受講者Ｎｏ．」を受け付けた後、確認入力を受け付けたと判別したとする。この場合、制御部７０２は、入力された「受講者Ｎｏ．」を含む送信用解答情報の提供要求を形成し、これをクラウドシステム５Ａに送信して、目的とする受講者の送信用解答情報の提供を受けて取得し、メモリ部１０３の外部メモリに格納する（ステップＳ１０６）。
【０１６４】
そして、制御部１０２は、図１１に示したように、解答レイヤーボタンＬＢ１、採点レイヤーボタンＬＢ２、検印レイヤーボタンＬＢ３を表示し、添削者からのレイヤーの選択入力を受け付ける（ステップＳ１０７）。この後、制御部７０２は、採点レイヤーボタンＬＢ２が押下操作されたか否か、すなわち、採点レイヤーが選択されたか否かを判別する（ステップＳ１０８）。
【０１６５】
ステップＳ１０８の判別処理において、採点レイヤーは選択されていないと判別した時には、制御部７０２は、選択されたレイヤーに応じた処理を実行する（ステップＳ１０９）。例えば、解答レイヤーボタンＬＢ１が選択された場合には、ステップＳ１０９では、制御部７０２の制御の下、レイヤー制御部７０８が機能して、答案フォーマットと解答情報に応じた解答の表示を表示部７０４に行う。また、検印レイヤーボタンＬＢ３が選択された場合には、ステップＳ１０９では、制御部７０２の制御の下、レイヤー制御部７０８が機能して、答案フォーマットと解答情報に応じた解答と添削情報の表示を表示部７０４に行う。そして、制御部７０２は、検印レイヤーへの入力を可能し、検印情報の入力を受け付けるようにする。
【０１６６】
ステップＳ１０８の判別処理において、採点レイヤーが選択されたと判別したとする。この場合、制御部７０２は、レイヤー制御部を制御し、答案フォーマットを表示すると共に、解答情報に応じた解答の再生を可能にし、更に採点レイヤーへの添削情報の受付を開始する（ステップＳ１１０）。そして、制御部７０２は、図１４を用いて説明したように、タイムバーＴＢ及びスライダーＳＬを用いた解答情報の時系列再生をできるようにする（ステップＳ１１１）。
【０１６７】
そして、ステップＳ１１１の処理の後と、ステップＳ１０９の処理の後においては、図１６のステップＳ１１２の処理に進み、表示部７０４上の所定の位置に表示された添削終了ボタンに対する操作入力を受け付けるようにする（ステップＳ１１２）。この後、制御部７０２は、ステップＳ１１２において、添削終了ボタンが操作されたか否かを判別する（ステップＳ１１３）。
【０１６８】
ステップＳ１１３の判別処理において、添削終了ボタンは操作されていないと判別したときには、制御部７０２は、ステップＳ１１２からの処理を繰り返す。この場合、ステップＳ１１０で開始させた添削情報の入力と、ステップＳ１１１で開始させた解答情報の時系列再生とが継続して行うよいにされる。
【０１６９】
また、ステップＳ１１３の判別処理において、添削終了ボタンが操作されたと判別したときには、制御部７０２は、図１５を用いて説明した送信用添削情報を形成し、これをクラウドシステム５Ａにアップロードする処理を実行する（ステップＳ１１４）。この後、制御部７０２は、今回指示した「受講者Ｎｏ．」により特定される受講者の解答情報に対しする添削は終了し、図１６のステップＳ１０１からの処理を行う。これにより、他の受講者の解答情報に対する添削を行うようにしたり、添削処理自体を終了させるようにしたりすることができる。
【０１７０】
［第２の実施の形態の効果］
この第２の実施の形態においても、デジタル解答装置１Ｘの場合には、消しゴムボタン（左）Ｋ５Ｌ、消しゴムボタン（右）Ｋ５Ｒを利用することにより、消去専用電子ペンを別途用意することもなく、筆記に用いる電子ペン２を用いて、目的とする部分の消去が行える。したがって、消去専用電子ペンに持ち替える動作が必要ないので、入力動作が一連の思考の妨げになるようなことを防止できる。
【０１７１】
また、解答情報は、時系列データとして作成することができる。これにより、解答をコンピュータによって採点することも可能であるし、必要に応じて解答の状況を再生（再現）して、当該解答の再評価などを行うことも簡単にできる。
【０１７２】
特に、デジタル添削装置７を用いて添削を行うようにすることによって、解答情報の時系列再生を行いながら、採点、添削を行うことができる。これにより、どこでつまずいているのか、どこで間違ったのか、どこが得意なのか、カンニングなどの不正な解答はしていないかといった事項の確認ができる。また、解答情報に含められている計算式、図、文章などにより、思考過程、発想や着想の状況などを知ることができるので、受講者が天才的な思考力の持ち主であることなども把握可能になる。
【０１７３】
これにより、受講者の学習の到達状況も確認できることになり、受講者のそれぞれに応じた授業を提供したり、授業の提供のスピードを調整したりするなど、受講者ごとに適切な対応を取ることができるようになる。
【０１７４】
また、時系列データである解答情報を用いることにより、例えば、漢字の書き順が正しいか否かを採点するなどのことも可能である。
【０１７５】
［実施の形態の共通する効果］
実施の形態のデジタル解答装置によれば、操作部の利用により、入力情報の修正を簡単かつ適切に行うようにすることができる。また、入力情報を時系列データとして形成し、当該時系列データを利用することにより、情報の入力過程を簡単に再現することができる。したがって、入力した情報の修正を適切に行うことができると共に、情報の入力過程を適切に再現することができる。このため、入学試験をはじめとする種々の試験を行う場合にこの発明を適用することによって、解答の入力過程を適切に把握し、解答に対する評価をより適切に行うことができる。
【０１７６】
［答案フォーマットが複数頁にわたる場合の対応］
上述した実施の形態において、デジタル解答装置１、１Ａ、デジタル添削装置７は、改頁ボタンＫ３Ｌ、Ｋ３Ｒを備えている。このため、答案フォーマットが複数頁に渡る場合には、適宜、改頁操作を行って、答案フォーマットの目的とする頁を表示し、解答を入力したり、添削を行ったりすることができる。
【０１７７】
このように、答案フォーマットが複数頁に渡る場合には、答案フォーマットの頁ごとに、時系列データと当該答案フォーマットの頁とを関連付けて管理できるようにする。また、この場合、受験者ごとに複数頁からなる答案フォーマットについてのデータを一括して管理できるようにする。
【０１７８】
図１８は、答案フォーマットが複数頁に渡る場合の頁別解答情報の構成例を説明するための図であり、図１８（Ａ）は頁別解答情報の全体構成を示し、図１８（Ｂ）、（Ｃ）、（Ｄ）は、頁ごとの具体的な解答情報の例を示している。すなわち、この例の頁別解答情報は、図１８（Ａ）に示すように、受験番号、科目、頁番号といったいわゆるヘッダ情報と、当該頁の時系列データと、当該頁の答案フォーマットデータとからなる。
【０１７９】
そして、図１８（Ｂ）、（Ｃ）、（Ｄ）に示すように、各頁別解答情報の受験番号が「１２３４５６」で、科目が「算数」と共通であるが、頁番号、時系列データ、答案フォーマットは頁ごとに異なったものとなる。すなわち、頁番号が「１」である解答情報の当該頁の時系列データは、第１頁の答案フォーマットに対して入力するようにされたものであり、当該頁の答案フォーマットは１頁の答案フォーマットとなる。
【０１８０】
同様に、頁番号が「２」である解答情報の当該頁の時系列データは、第２頁の答案フォーマットに対して入力するようにされたものであり、当該頁の答案フォーマットは２頁の答案フォーマットとなる。また、頁番号が「３」である解答情報の当該頁の時系列データは、第３頁の答案フォーマットに対して入力するようにされたものであり、当該頁の答案フォーマットは３頁の答案フォーマットとなる。以下、同様に答案フォーマットの頁数に応じて、頁別解答情報が形成されることになる。
【０１８１】
そして、始めは第１頁の答案フォーマットを表示部１０４に表示し、改頁ボタンＫ３Ｌ、Ｋ３Ｒを操作することにより、目的とする頁の答案フォーマットを表示して、解答の入力を行うことができる。また、図１８に示した頁別解答情報を形成することによって、頁ごとに答案フォーマットの表示と時系列データに応じた解答の表示とを行うことができる。簡単には、改頁ボタンＫ３Ｌ、Ｋ３Ｒを操作することにより、目的とする頁を指定するようにする。この場合、表示されている頁が基準頁となり、当該基準頁の前または後の頁を指示することができる。
【０１８２】
そして、指示された頁が特定されれば、その頁に対応する頁別解答情報を読み出し、読み出した頁別解答情報の当該頁の答案フォーマットデータを用いて答案フォーマットを表示部１０４に表示する。この後、当該読み出した頁別解答情報の当該頁の時系列データに応じた解答を、表示部１０４に表示されている答案フォーマットに重ねて表示するようにできる。このように、受験者は目的とする頁の答案フォーマットと入力済みの解答とを必要に応じて、表示し、修正や変更などの処理を簡単に行うことができる。
【０１８３】
このように、答案フォーマットが複数頁にわたる場合であっても、頁ごとに、答案フォーマットと時系列データとを関連付けて管理でき、これらを複数頁からなる答案フォーマットに関連する情報として一括して管理できる。なお、図１８を用いて説明したように、頁ごとの時系列データと頁ごとの答案フォーマットデータとを対応付けるのではなく、頁ごとの時系列データと頁ごとの答案フォーマットデータの識別ＩＤとを対応付けて管理するようにしてもよい。
【０１８４】
また、第２の実施の形態の場合には、図１５に示した送信用添削情報の解答情報と、答案フォーマットと、添削情報と、検印情報とを、答案フォーマットの頁ごとに対応付けて記憶保持するようにすれば、添削時の処理も、答案フォーマットの頁単位に行うことが容易にできる。
【０１８５】
また、上述した実施の形態では、デジタル解答装置１、１Ａで形成される時系列データに筆圧情報を付加するようにしたが、これに限るものではない。電子ペンに関する情報として、筆圧の他にも、例えば、電子ペンが、当該電子ペンの傾きを検出可能なものであれば、電子ペンの傾きを示す情報を付加してもよい。また、電子ペンにいわゆるサイドスイッチが設けられているものであれば、サイドスイッチの状態を示す情報を付加してもよい。
【０１８６】
なお、電子ペンに設けられたサイドスイッチには、例えば、デジタル解答装置１、１Ａに設けていた消しゴムボタンとしての機能を持たせることができる。すなわち、サイドスイッチが押下されていないときと、押下されているときとで、例えば、電子ペンから送出される信号の周波数を変える。これにより、サイドスイッチが押下されていない時には、電子ペンによる筆記が行われており、また、サイドスイッチが押下されている時には、電子ペンによる消去が行われていると、デジタル解答装置などの入力装置側で判別し、これに応じた処理を行うことができる。
【０１８７】
［変形例］
なお、上述した実施の形態では、試験中において、所定のタイミングごとに解答情報を生成するものとして説明したが、これに限るものではない。例えば、Ｘ座標Ｘｎ、Ｙ座標Ｙｎ、筆圧Ｐｎ、ボタンステータスＳｎのいずれもが「０（ゼロ）」の解答情報は、送信用解答情報には含めないようにすることもできる。
【０１８８】
また、所定のタイミングごとに解答情報を生成するのではなく、電子ペン２による操作入力や操作ボタンに対する操作が行われた場合に、解答情報を生成するようにいてもよい。すなわち、位置検出回路１０５Ｂから指示位置や筆圧が出力された場合と、操作部１０６から操作されたボタンを示す情報が出力された場合に、時系列データ生成部１０７が、時計回路１０８から時点情報を取得して、解答情報を生成するようにしてもよい。
【０１８９】
また、上述した実施の形態では、クラウドシステム５、５Ａから答案フォーマットや試験問題などの必要な情報の提供を受けるようにしたが、これに限るものではない。例えば、メモリ部１０３のメモリスロットに装着可能な外部メモリに、答案フォーマットや試験問題を記録して配布し、これをデジタル解答装置１、１Ａで表示して用いるようにしてもよい。また、解答情報も、配布された当該外部メモリに記録し、これを回収して、採点や添削を行うようにしてもよい。
【０１９０】
また、上述した実施の形態では、位置検出装置１０５、７０５は、電磁誘導授受方式のものとしたが、これに限るものではない。例えば、電子ペンにより情報の入力が可能な静電容量方式の位置検出装置を用いるようにしてもよい。また、電磁誘導授受方式や静電容量方式以外の方式の位置検出装置を用いるようにしてもよい。
【０１９１】
また、問題だけは、紙媒体に印刷したものを、受験者や受講者に配布するようにしてもよい。また、問題は、試験会場の大きなスクリーンに投影させて、受験者に共通に提供するようにしてもよい。
【０１９２】
また、上述のデジタル解答装置１において、時計回路１０８が提供する現在時刻を表示部１０４に表示してもよい。受検者にとっては、試験の終了時間は重要な情報だからである。なお、試験終了となった場合は、自動的に入力が制限され、自動的に解答情報としての時系列データは転送されても良い。
【０１９３】
また、第２の実施の形態のデジタル添削装置７の重要な特徴は、タイムバーＴＢ上のスライダーＳＬを移動させることに応じて、解答の履歴を再生表示することができる点にある。このため、添削作業専用のデジタル添削装置７を用いるのではなく、汎用のパーソナルコンピュータに、デジタル添削装置７が備える機能を搭載してデジタル添削装置を実現することもできる。
【０１９４】
この場合、当該パーソナルコンピュータの表示画面に、タイムバーＴＢとスライダーＳＬを表示し、キーボード操作やいわゆるマウスなどのポインティングデバイスの操作によって、タイムバー上のスライダーＳＬを移動させるようにする。そして、このスライダーＳＬの移動に応じて、解答の履歴である時系列データを再生表示するようにすれば、汎用のパーソナルコンピュータを利用して、デジタル添削装置７に対応する機能を実現できる。
【０１９５】
なお、汎用のパーソナルコンピュータをデジタル添削装置として用いる場合の添削情報の入力は、パーソナルコンピュータに接続可能な外付けのデジタイザを利用すればよい。この場合のデジタイザは、例えば、電磁結合方式の位置検出センサと、この位置検出センサからの出力信号に基づいて指示位置の検出が可能な位置検出回路からなる装置であり、図５に示した構成を有するものである。
【０１９６】
また、第２の実施の形態において、スライダーＳＬは、デジタル添削装置７のいずれかの箇所に、ハードウェアの操作子として設けるようにしてもよい。また、スライダーＳＬは、デジタル添削装置７とは別体の操作装置として単独で設けるようにし、ＵＳＢ（Universal Serial Bus）規格のデジタルインターフェイスを通じて接続して用いるようにすることもできる。
【０１９７】
また、上述した実施の形態は、試験システム、通信教育システムにこの発明を適用した場合を例にして説明したが、これに限るものではない。例えば、病院で用いられるカルテ管理システムにこの発明を適用できる。すなわち、カルテの書式フォーマットデータを形成し、このカルテの書式フォーマットを上述したデジタル解答装置と同様の構成を有すカルテ入力装置の表示部に表示して、電子ペンを用いて患者ごとに情報の入力を行う。そして、カルテの書式フォーマットと、患者ごとの時系列データとを対応付けて管理するようにすれば、カルテ管理システムが構築できる。
【０１９８】
また、工場で用いられる生産情報管理システムに、この発明を適用できる。すなわち、生産工程表の書式フォーマットデータを形成し、この生産工程表の書式フォーマットを上述したデジタル解答装置と同様の構成を有す工程情報入力装置の表示部に表示して、電子ペンを用いて製品ごとに各工程での作業状況等の情報の入力を行う。そして、生産工程表の書式フォーマットと、製品ごと工程ごとの時系列データとを対応付けて管理するようにすれば、生産情報管理システムが構築できる。
【０１９９】
なお、上記のカルテ管理システムと生産情報管理システムに用いられる入力装置は、看護師や工程表担当者が持ち歩く場合が想定されるので表示装置付き電子ペン入力用携帯端末（いわゆるタブレット）が最適である。病室毎、工場の工程毎に携帯端末（タブレット）に書式フォーマットが無線送信され、電子ペンで記入して送り返すことが可能となる。
【０２００】
このように、答案フォーマットに限らず、種々の書式フォーマットを形成し、この書式フォーマットを入力装置の表示画面に表示して、電子ペンにより情報の入力を行い、書式フォーマットと時系列データとを関連付けて管理できるようにする種々のシステムにこの発明を適用できる。
【０２０１】
［その他］
また、上述した実施の形態の説明からも分かるように、特許請求の範囲の記載と実施の形態の記載とを対応付けると以下のようになる。特許請求の範囲のデジタル入力装置（以下、単にデジタル入力装置と記載する。）のセンサ部の機能は、実施の形態のデジタル解答装置１（以下、単にデジタル解答装置１と記載する。）の位置検出センサ１０５Ａ及び位置検出回路１０５Ｂからなる位置検出装置１０５が実現している。また、デジタル入力装置の表示部の機能は、デジタル解答装置１の表示部１０４が実現し、デジタル入力装置の表示処理手段及び第１、第２の表示処理手段の機能は、デジタル解答装置１の主に制御部１０２が表示部１０４と協働して実現している。また、デジタル入力装置の操作部の機能は、デジタル解答装置１の操作部１０６が実現し、デジタル入力装置の時点情報提供部の機能は、デジタル解答装置１の時計回路１０８が実現している。
【０２０２】
また、デジタル入力装置の時系列データ生成部の機能は、デジタル解答装置１の時系列データ生成部１０７が実現している。また、デジタル解答装置の第１、第２の記憶部の機能は、例えば、制御部１０２内に設けられる不揮発性メモリやメモリ部１０３の内部メモリや外部メモリが実現し、デジタル入力装置の受信手段、送信手段の機能は、デジタル解答装置１の送受信アンテナ１０１Ａ及び無線通信部１０１が実現している。また、デジタル入力装置の第２の記憶手段の機能は、例えば、メモリ部１０３の内部メモリや外部メモリが実現している。
【０２０３】
また、特許請求の範囲のデジタル添削装置（以下、単にデジタル添削装置と記載する。）の第２のセンサ部の機能は、実施の形態のデジタル添削装置７（以下、単にデジタル添削装置７と記載する。）の位置検出センサ７０５Ａ及び位置検出回路７０５Ｂからなる位置検出装置７０５が実現している。また、デジタル添削装置の第２の表示部の機能は、デジタル添削装置７の表示部７０４が実現し、デジタル添削装置の第３の表示処理手段の機能は、デジタル添削装置７の表示部７０４が実現している。
【０２０４】
また、デジタル添削装置の添削情報形成手段の機能は、デジタル添削装置７の主に制御部７０２が実現し、デジタル添削装置の第４の表示処理手段の機能は、デジタル添削装置７の制御部７０２が実現している。また、デジタル添削装置の第３、第４の記憶部の機能は、デジタル添削装置７のメモリ部の内部メモリや外部メモリが実現し、デジタル添削装置の再生指示子の機能は、デジタル添削装置７のタイムバーＴＢ及びスライダーＳＬが実現している。
【符号の説明】
【０２０５】
１、１Ａ…デジタル解答装置、１０１Ａ…送受信アンテナ、１０１…無線通信部、１０２…制御部、１０３…メモリ部、１０４…表示部、１０５Ａ…位置検出センサ部、１０５Ｂ…位置検出回路、１０５…位置検出装置、１０６…操作部、１０７…時系列データ生成部、１０８…時計回路、２…電子ペン、３（１）、３（２）…アクセスポイント、４…ホストコンピュータ、５…クラウドシステム、５１…データ格納部、５２…採点評価部、５３…評価結果格納部、５Ａ…クラウドシステム、５１Ａ…データ格納部、５２Ａ…授業提供部、６…パーソナルコンピュータ、７…デジタル添削装置、７０１Ａ…送受信アンテナ、７０１…無線通信部、７０２…制御部、７０３…メモリ部、７０４…表示部、７０５Ａ…位置検出センサ部、７０５Ｂ…位置検出回路、７０５…位置検出装置、７０６…操作部、７０７…時系列データ再生部、７０８…レイヤー制御部
【図１】
2018092555.tif 000003
【図２】
2018092555.tif 000004
【図３】
2018092555.tif 000005
【図４】
2018092555.tif 000006
【図５】
2018092555.tif 000007
【図６】
2018092555.tif 000008
【図７】
2018092555.tif 000009
【図８】
2018092555.tif 000010
【図９】
2018092555.tif 000011
【図１０】
2018092555.tif 000012
【図１１】
2018092555.tif 000013
【図１２】
2018092555.tif 000014
【図１３】
2018092555.tif 000015
【図１４】
2018092555.tif 000016
【図１５】
2018092555.tif 000017
【図１６】
2018092555.tif 000018
【図１７】
2018092555.tif 000019
【図１８】
2018092555.tif 000020
【国際調査報告】
2018092555.tif 000021
2018092555.tif 000022
2018092555.tif 000023